(57)【要約】【目的】  本発明の目的は、冷陰極蛍光ランプの熱膨張又は熱収縮を吸収することができるコンタクトを提供する。【構成】  コンタクトは、基板１０上に電気的且つ機械的に接続されるベース部１００ａ、１００ｂと、冷陰極蛍光ランプ２０が接続されたアダプタ３０の円筒状部３１を挟持する一対のクランプ部２２０を有する接続部２００と、ベース部１００ａ、１００ｂと接続部２００との間に各々設けられ且つ陰極蛍光ランプ２０の長さ方向に沿うＹ方向及びこの方向の反対側の−Ｙ方向に弾性変形可能な弾性変形部３００ａ、３００ｂとを備えている。【選択図】      図４
2009266389.tif 000002
【特許請求の範囲】
【請求項１】
基板上に電気的且つ機械的に接続されるベース部と、
電子部品のリード端子に電気的且つ機械的に接続される接続部と、
ベース部と接続部との間に設けられ且つ電子部品の長さ方向に沿う第１の方向及びこの第１の方向の反対側の第２の方向の少なくとも一方に弾性変形可能な弾性変形部とを備えることを特徴とするコンタクト。
【請求項２】
請求項１記載のコンタクトにおいて、
ベース部は、接続部の第１の方向側及び第２の方向側の少なくとも一方側に当該接続部と隙間を空けて配置され且つ電子部品の熱膨張及び熱収縮のいずれか一方に応じて接続部が当接する第１の移動規制手段を有していることを特徴とするコンタクト。
【請求項３】
請求項１記載のコンタクトにおいて、
弾性変形部が第１、第２の方向に交差する第３の方向及びその反対側の第４の方向の少なくとも一方側にも弾性変形可能になっており、
ベース部は、接続部の第３の方向側及び第４の方向側の少なくとも一方側に当該接続部と隙間を空けて配置され且つ電子部品の熱膨張及び熱収縮のいずれか一方に応じて接続部が当接する第２の移動規制手段を有していることを特徴とするコンタクト。
【請求項４】
請求項２記載のコンタクトにおいて、
第１の移動規制手段は、ベース部に設けられ且つ接続部がその第１の方向側及び第２の方向側の少なくとも一方側に隙間を空けて挿入される規制孔を有し、
ベース部の規制孔の第１の方向側及び第２の方向側の少なくとも一方側の縁部に電子部品の熱膨張及び熱収縮のいずれか一方に応じて接続部が当接するようになっていることを特徴とするコンタクト。
【請求項５】
請求項３記載のコンタクトにおいて、
第２の移動規制手段は、ベース部に設けられ且つ接続部がその第３の方向側及び第４の方向側の少なくとも一方側に隙間を空けて挿入される規制孔を有し、
ベース部の規制孔の第３の方向側及び第４の方向側の少なくとも一方側の縁部に電子部品の熱膨張及び熱収縮のいずれか一方に応じて接続部が当接するようになっていることを特徴とするコンタクト。
【請求項６】
電子部品が本体部とこの本体部の長さ方向の端面に突設されたリード端子とを有する場合の請求項１記載のコンタクトにおいて、
ベース部は、接続部の第１の方向側に配置される第３の移動規制手段を有しており、
第３の移動規制手段は、接続部に接続された電子部品の本体部の前記端面と隙間を空けて対向配置される当止部と、この当止部に設けられリード端子が挿入可能なスリットとを有し、
当止部のスリットの縁部に電子部品の熱膨張及び熱収縮のいずれか一方に応じて電子部品の本体部の前記端面が当接するようになっていることを特徴とするコンタクト。
【請求項７】
請求項１記載のコンタクトにおいて、
ベース部又は接続部は電子部品のリード端子を支持する支持部を有しており、
接続部は、支持部の両側に配置され且つ当該支持部との間でリード端子を挟持する一対のクランプ部を有することを特徴とするコンタクト。
【請求項８】
請求項７記載のコンタクトにおいて、
ベース部は、クランプ部の第１の方向側及び第２の方向側の少なくとも一方側に当該クランプ部と隙間を空けて配置され且つ電子部品の熱膨張及び熱収縮のいずれか一方に応じてクランプ部が当接する第１の移動規制手段を有していることを特徴とするコンタクト。    
【請求項９】
請求項７記載のコンタクトにおいて、
弾性変形部が第１、第２の方向に交差する第３の方向及びその反対側の第４の方向の少なくとも一方側にも弾性変形可能になっており、
ベース部は、クランプ部の第３の方向側及び第４の方向側の少なくとも一方側に当該クランプ部と隙間を空けて配置され且つ電子部品の熱膨張及び熱収縮のいずれか一方に応じてクランプ部が当接する第２の移動規制手段を有していることを特徴とするコンタクト。    
【請求項１０】
請求項８記載のコンタクトにおいて、
第１の位置規制手段は、ベース部に設けられ且つクランプ部がその第１の方向側及び第２の方向側の少なくとも一方側に隙間を空けて各々挿入される一対の規制孔を有し、
ベース部の規制孔の第１の方向側及び第２の方向側の少なくとも一方側の縁部に電子部品の熱膨張及び熱収縮のいずれか一方に応じてクランプ部が当接するようになっていることを特徴とするコンタクト。
【請求項１１】
請求項９記載のコンタクトにおいて、
第２の位置規制手段は、ベース部に設けられ且つクランプ部が第３の方向側及び第４の方向側の少なくとも一方側に隙間を空けて各々挿入される一対の規制孔を有し、
ベース部の規制孔の第３の方向側及び第４の方向側の少なくとも一方側の縁部に電子部品の熱膨張及び熱収縮のいずれか一方に応じてクランプ部部が当接するようになっていることを特徴とするコンタクト。
【請求項１２】
請求項７記載のコンタクトにおいて、
支持部は、基板上に載置される板状部と、この板状部の一部が切り上げられた片部材であり且つリード端子を支持する支持片とを有することを特徴とするコンタクト。  
【請求項１３】
請求項１２記載のコンタクトにおいて、
ベース部は、支持片の第１の方向側及び第２の方向側の少なくとも一方側に当該支持片と隙間を空けて配置され且つ電子部品の熱膨張及び熱収縮のいずれか一方に応じて支持片が当接する第１の移動規制手段を有していることを特徴とするコンタクト。  
【請求項１４】
請求項１３記載のコンタクトにおいて、
弾性変形部が第１、第２の方向に交差する第３の方向及びその反対側の第４の方向にも弾性変形可能になっており、
第１の移動規制手段は、支持片が第１の方向側及び第２の方向側の少なくとも一方側から挿入される切欠きを有することを特徴とするコンタクト。
【請求項１５】
請求項２、８又は１３記載のコンタクトにおいて、
一対の前記ベース部が接続部の両側に各々隙間を空けて配置されており、
一対の前記弾性変形部は前記ベース部と接続部との間に各々設けられており、
一方の前記ベースの第１の移動規制手段は接続部の第１の方向側に配置され、
他方の前記ベースの第１の移動規制手段は接続部の第２の方向側に配置されていることを特徴とするコンタクト。
【請求項１６】
請求項７記載のコンタクトにおいて、
クランプ部のリード端子に接触可能な内面が凸凹面になっていることを特徴とするコンタクト。
【請求項１７】
電子部品がアダプタを介して接続部に接続されるようになっている場合の請求項１、２、３、４、５、７、８、９、１０、１１、１２、１３、１４、１５又は１６記載のコンタクトにおいて、
アダプタは、電子部品の本体部の端部が挿入される筒状部と、この筒状部に設けられ且つ電子部品のリード端子に電気的且つ機械的に接続される接続片とを有し、
接続部が、電子部品のリード端子の代わりに、筒状部に電気的且つ機械的に接続されるようになっていることを特徴とするコンタクト。
【請求項１８】
電子部品がアダプタを介して接続部に接続されるようになっている場合の請求項６記載のコンタクトにおいて、
アダプタは、電子部品の本体部の端部が挿入される筒状部と、この筒状部に設けられ且つ電子部品のリード端子に電気的且つ機械的に接続される接続片とを有し、
接続部が、電子部品のリード端子の代わりに、筒状部に電気的且つ機械的に接続されるようになっており、
第３の移動規制手段のスリットには、接続部に接続されたアダプタの接続片及び電子部品のリード端子が挿入されるようになっており、
当接部は、接続部に接続されたアダプタの筒状部に隙間を空けて配置され、当該当止部のスリットの縁部に電子部品の熱膨張及び熱収縮のいずれか一方に応じて筒状部が当接するようになっていることを特徴とするコンタクト。
【発明の詳細な説明】
【技術分野】
【０００１】
本発明は基板上に実装され且つ電子部品が接続されるコンタクトに関する。
【背景技術】
【０００２】
この種のコンタクトとしては、略Ｕ字状の板状体であって、基板上に実装されるベース部と、このベース部の両端部に設けられた一対のクランプ部とを有し、クランプ部が冷陰極蛍光ランプのランプ本体部の端部が挿入され且つ当該冷陰極蛍光ランプのリード端子に接続された筒状のアダプタを挟持するようになっているものがある（特許文献１参照）。
【０００３】
【特許文献１】実開昭６４−４８８５１号公報
【発明の開示】
【発明が解決しようとする課題】
【０００４】
ところが、前記コンタクトは、冷陰極蛍光ランプが熱膨張又は熱収縮すると、当該冷陰極蛍光ランプに接続されたアダプタが一対のクランプ部の間を摺動する。このため、一対のクランプ部とアダプタとの電気的な接続が不安定になる。また、アダプタが一対のクランプ部の間を摺動する際に、冷陰極蛍光ランプに負荷が掛かり、不具合が生じる可能性がある。
【０００５】
本発明は、上記事情に鑑みて創案されたものであって、その目的とするところは、冷陰極蛍光ランプの熱膨張又は熱収縮を吸収することができるコンタクトを提供することにある。
【課題を解決するための手段】
【０００６】
上記課題を解決するために、本発明のコンタクトは、基板上に電気的且つ機械的に接続されるベース部と、電子部品のリード端子に電気的且つ機械的に接続される接続部と、ベース部と接続部との間に設けられ且つ電子部品の長さ方向に沿う第１の方向及びこの第１の方向の反対側の第２の方向の少なくとも一方に弾性変形可能な弾性変形部とを備えている。
【０００７】
このようなコンタクトによる場合、ベース部が基板上に電気的且つ機械的に接続され且つ接続部がリード端子に電気的且つ機械的に接続された状態で、電子部品が熱膨張及び熱収縮のいずれか一方をすると、弾性変形部が第１の方向及び第２の方向の少なくとも一方に弾性変形し、当該熱膨張及び熱収縮のいずれか一方を吸収する。このため、電子部品の熱膨張及び熱収縮のいずれか一方により、電子部品のリード端子と接続部との電気的な接続が不安定になったり、電子部品に負荷が掛かったりするのを抑止することができる。
【０００８】
ベース部は、接続部の第１の方向側及び第２の方向側の少なくとも一方側に当該接続部と隙間を空けて配置され且つ電子部品の熱膨張及び熱収縮のいずれか一方に応じて接続部が当接する第１の移動規制手段を有する構成とすることができる。
【０００９】
この場合、電子部品の熱膨張及び熱収縮のいずれか一方に応じて接続部が第１の方向及び第２の方向のいずれか一方に移動すると、当該接続部がその第１の方向側及び第２の方向側の少なくとも一方側に配置された第１の移動規制手段に当接する。このため、接続部の第１及び第２の方向のいずれか一方への所定以上の範囲が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００１０】
弾性変形部が第１、第２の方向に交差する第３の方向及びその反対側の第４の方向の少なくとも一方側にも弾性変形可能になっている場合、ベース部は、接続部の第３の方向側及び第４の方向側の少なくとも一方側に当該接続部と隙間を空けて配置され且つ電子部品の熱膨張及び熱収縮のいずれか一方に応じて接続部が当接する第２の移動規制手段を有する構成とすることができる。
【００１１】
この場合、電子部品の熱膨張及び熱収縮のいずれか一方に応じて接続部が第３の方向及び第４の方向のいずれか一方に移動すると、当該接続部がその第３の方向側及び第４の方向側の少なくとも一方側に配置された第２の移動規制手段に当接する。このため、接続部の第３及び第４の方向のいずれか一方への所定以上の移動が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００１２】
前記第１の移動規制手段が、ベース部に設けられ且つ接続部がその第１の方向側及び第２の方向側の少なくとも一方側に隙間を空けて挿入される規制孔を有する場合、ベース部の規制孔の第１の方向側及び第２の方向側の少なくとも一方側の縁部に電子部品の熱膨張及び熱収縮のいずれか一方に応じて接続部が当接するようになっている。
【００１３】
この場合、電子部品の熱膨張及び熱収縮のいずれか一方に応じて接続部が第１の方向及び第２の方向のいずれか一方に移動すると、当該接続部がベース部の規制孔の第１の方向側及び第２の方向側の少なくとも一方側の縁部に当接する。このため、接続部の第１及び第２の方向のいずれか一方への所定以上の範囲が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００１４】
前記第２の移動規制手段が、ベース部に設けられ且つ接続部がその第３の方向側及び第４の方向側の少なくとも一方側に隙間を空けて挿入される規制孔を有する場合、ベース部の規制孔の第３の方向側及び第４の方向側の少なくとも一方側の縁部に電子部品の熱膨張及び熱収縮のいずれか一方に応じて接続部が当接するようになっている。
【００１５】
この場合、電子部品の熱膨張及び熱収縮のいずれか一方に応じて接続部が第３の方向及び第４の方向のいずれか一方に移動すると、当該接続部がベース部の規制孔の第３の方向側及び第４の方向側の少なくとも一方側の縁部に当接する。このため、接続部の第３及び第４の方向のいずれか一方への所定以上の移動が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００１６】
電子部品が本体部とこの本体部の長さ方向の端面に突設されたリード端子とを有する場合、ベース部は、接続部の第１の方向側に配置される第３の移動規制手段を有する構成とすることができる。この場合、第３の移動規制手段は、接続部に接続された電子部品の本体部の前記端面と隙間を空けて対向配置される当止部と、この当止部に設けられリード端子が挿入可能なスリットとを有し、当止部のスリットの縁部に電子部品の熱膨張及び熱収縮のいずれか一方に応じて電子部品の本体部の前記端面が当接するようになっている。
【００１７】
この場合、電子部品の熱膨張により、当該電子部品の本体部の前記端面が第１の方向に移動すると、接続部の第１の方向側に配置された第３の移動規制手段の当止部のスリットの縁部に当接する。このため、電子部品の熱膨張による所定以上の変形を規制し、電子部品が熱膨張により電子部品が組み込まれる電子機器内の他の部品に衝突する等の不具合を防止することができる。
【００１８】
前記ベース部又は接続部が電子部品のリード端子を支持する支持部を有している場合、接続部は、支持部の両側に配置され且つ当該支持部との間でリード端子を挟持する一対のクランプ部を有する構成とすることができる。この場合、支持部と一対のクランプ部との間で電子部品のリード端子が挟持されることから、接続部と電子部品のリード端子との電気的且つ機械的な接続が安定する。
【００１９】
ベース部は、クランプ部の第１の方向側及び第２の方向側の少なくとも一方側に当該クランプ部と隙間を空けて配置され且つ電子部品の熱膨張及び熱収縮のいずれか一方に応じてクランプ部が当接する第１の移動規制手段を有する構成とすることができる。
【００２０】
この場合、電子部品の熱膨張及び熱収縮のいずれか一方に応じて接続部が第１の方向及び第２の方向のいずれか一方に移動すると、当該接続部のクランプ部が接続部の第１の方向側及び第２の方向側の少なくとも一方側に配置された第１の移動規制手段に当接する。このため、接続部の所定以上の移動が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００２１】
弾性変形部が第１、第２の方向に交差する第３の方向及びその反対側の第４の方向の少なくとも一方側にも弾性変形可能になっている場合、ベース部は、クランプ部の第３の方向側及び第４の方向側の少なくとも一方側に当該クランプ部と隙間を空けて配置され且つ電子部品の熱膨張及び熱収縮のいずれか一方に応じてクランプ部が当接する第２の移動規制手段を有する構成とすることができる。
【００２２】
この場合、電子部品の熱膨張及び熱収縮のいずれか一方に応じて接続部が第３の方向及び第４の方向のいずれか一方に移動すると、当該接続部のクランプ部が接続部の第３の方向側及び第４の方向側の少なくとも一方側に配置された第２の移動規制手段に当接する。このため、接続部の第３及び第４の方向のいずれか一方への所定以上の移動が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００２３】
前記第１の位置規制手段が、ベース部に設けられ且つクランプ部がその第１の方向側及び第２の方向側の少なくとも一方側に隙間を空けて各々挿入される一対の規制孔を有する場合、ベース部の規制孔の第１の方向側及び第２の方向側の少なくとも一方側の縁部に電子部品の熱膨張及び熱収縮のいずれか一方に応じてクランプ部が当接するようになっている。
【００２４】
この場合、電子部品の熱膨張及び熱収縮のいずれか一方に応じて接続部が第１の方向及び第２の方向のいずれか一方に移動すると、当該接続部のクランプ部がベース部の規制孔の第１の方向側及び第２の方向側の少なくとも一方側の縁部に当接する。このため、接続部の所定以上の移動が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００２５】
前記第２の位置規制手段が、ベース部に設けられ且つクランプ部が第３の方向側及び第４の方向側の少なくとも一方側に隙間を空けて各々挿入される一対の規制孔を有する場合、ベース部の規制孔の第３の方向側及び第４の方向側の少なくとも一方側の縁部に電子部品の熱膨張及び熱収縮のいずれか一方に応じてクランプ部が当接するようになっている。
【００２６】
この場合、電子部品の熱膨張及び熱収縮のいずれか一方に応じて接続部が第３の方向及び第４の方向のいずれか一方に移動すると、当該接続部のクランプ部がベース部の規制孔の第３の方向側及び第４の方向側の少なくとも一方側の縁部に当接する。このため、接続部の第３及び第４の方向のいずれか一方への所定以上の移動が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００２７】
前記支持部は、基板上に載置される板状部と、この板状部の一部が切り上げられた片部材であり且つリード端子を支持する支持片とを有する構成とすることができる。この場合、支持片の切り上げ高さを変えることにより、電子部品のリード端子の接続時の高さ位置を容易に可変することができる。
【００２８】
ベース部は、支持片の第１の方向側及び第２の方向側の少なくとも一方側に当該支持片と隙間を空けて配置され且つ電子部品の熱膨張及び熱収縮のいずれか一方に応じて支持片が当接する第１の移動規制手段を有する構成とすることができる。
【００２９】
この場合、電子部品の熱膨張及び熱収縮のいずれか一方に応じて接続部が第１の方向及び第２の方向のいずれか一方に移動すると、当該接続部の支持片が接続部の第１の方向側及び第２の方向側の少なくとも一方側に配置された第１の移動規制手段に当接する。このため、接続部の第１及び第２の方向のいずれか一方への所定以上の移動が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００３０】
弾性変形部が第１、第２の方向に交差する第３の方向及びその反対側の第４の方向にも弾性変形可能になっている場合、第１の移動規制手段は、支持片が第１の方向側及び第２の方向側の少なくとも一方側から挿入される切欠きを有していることが好ましい。
【００３１】
この場合、電子部品の熱膨張及び熱収縮のいずれか一方に応じて接続部が第３の方向及び第４の方向のいずれか一方に移動すると、当該接続部の支持片が第１の移動規制手段の切欠きの両縁部の一方に当接する。このため、接続部の第３及び第４の方向のいずれか一方への所定以上の移動が規制されると共に、当該接続部の移動により弾性変形する弾性変形部の所定以上の弾性変形が規制される。この規制により、接続部に接続された電子部品の熱膨張及び熱収縮のいずれか一方による所定以上の変形を規制し、電子部品が熱膨張及び熱収縮のいずれか一方により電子部品が組み込まれる電子機器内の他の部品に衝突する等の不具合を防止することができる。
【００３２】
前記コンタクトは、一対の前記ベース部が接続部の両側に各々隙間を空けて配置され、一対の前記弾性変形部は前記ベース部と接続部との間に各々設けられる構成とすることができる。この場合、一方の前記ベース部の第１の移動規制手段は接続部の第１の方向側に配置され、他方の前記ベース部の第１の移動規制手段は接続部の第２の方向側に配置されていることが好ましい。この場合、一対のベース部が基板上に接続されるため、コンタクトの基板への接続が安定する。
【００３３】
クランプ部のリード端子に接触可能な内面が凸凹面になっていることが好ましい。この場合、クランプ部内を電子部品の熱膨張及び熱収縮のいずれか一方に応じてリード端子が摺動するのを防止することができる。
【００３４】
電子部品がアダプタを介して接続部に接続されるようになっている場合、アダプタは、電子部品の本体部の端部が挿入される筒状部と、この筒状部に設けられ且つ電子部品のリード端子に電気的且つ機械的に接続される接続片とを有する。この場合、前記接続部が、電子部品のリード端子の代わりに、筒状部に電気的且つ機械的に接続されるようになっている構成とすることができる。このようにアダプタを介して電子部品が接続される場合であっても、接続部が、アダプタに電気的且つ機械的に接続されることにより、上述の効果を得ることができる。
【００３５】
また、前述の電子部品がアダプタを介して接続部に接続されるようになっている場合には、前記第３の移動規制手段のスリットに接続部に接続されたアダプタの接続片及び電子部品のリード端子が挿入されるようになっており、前記当接部は、接続部に接続されたアダプタの筒状部に隙間を空けて配置され、当該当止部のスリットの縁部に電子部品の熱膨張及び熱収縮のいずれか一方に応じて筒状部が当接するようになっていることが好ましい。
【００３６】
この場合、電子部品の熱膨張により、アダプタの筒状部が第１の方向に移動すると、接続部の第１の方向側に配置された第３の移動規制手段の当止部のスリットの縁部に当接する。このため、電子部品の熱膨張による所定以上の変形を規制し、電子部品が熱膨張により電子部品が組み込まれる電子機器内の他の部品に衝突する等の不具合を防止することができる。
【発明を実施するための最良の形態】
【００３７】
以下、本発明の実施の形態に係るコンタクトについて説明する。
【実施例１】
【００３８】
まず、本発明の実施例１の形態に係るコンタクトについて下記の図面を参照しつつ説明する。図１が本発明の実施例１の形態に係るコンタクトを示す概略図であって、（ａ）が正面上方から見た斜視図、（ｂ）が正面下方から見た斜視図、図２が同コンタクトを示す概略図であって、（ａ）が正面図、（ｂ）が平面図、（ｃ）が底面図、（ｄ）が側面図、図３は同コンタクトを示す概略図であって、（ａ）が図２中のＡ−Ａ断面図、（ｂ）が図２中のＢ−Ｂ断面図、図４は同コンタクトが基板上に実装され且つ冷陰極蛍光ランプ及びアダプタが接続された状態を示す概略図であって、（ａ）が斜視図、（ｂ）が平面図である。
【００３９】
図１乃至図４に示すコンタクトは、基板１０上に実装され且つアダプタ３０を介して冷陰極蛍光ランプ２０が接続可能になっている。このコンタクトについて説明する前に、基板１０、冷陰極蛍光ランプ２０及びアダプタ３０について説明する。
【００４０】
基板１０は、図４に示すように、周知のプリント基板である。この基板１０の上面上には、第１、第２のベース部１００ａ、１００ｂの第１、第２のベース板１１０ａ、１１０ｂが半田接続される４つの接点パターン１１がプリントされている。
【００４１】
冷陰極蛍光ランプ２０は、図４に示すように、長尺状のランプ本体部２１と、このランプ本体部２１の両端部の端面から突出するリード端子２２とを備えている。なお、図４においては、作図の便宜上、冷陰極蛍光ランプ２０の一端部のみを図示している。
【００４２】
アダプタ３０は、図４に示すように、冷陰極蛍光ランプ２０のランプ本体部２１の端部が挿入される円筒状部３１と、この円筒状部３１の先端に設けられ且つリード端子２２に半田や溶接などにより電気的且つ機械的に接続される接続される接続片３２とを備えている。
【００４３】
即ち、冷陰極蛍光ランプ２０のランプ本体部２１の端部がアダプタ３０の円筒状部３１に挿入され、リード端子２２を接続片３２に接触させた状態で半田や溶接等で接続されることにより、冷陰極蛍光ランプ２０がアダプタ３０に接続される。
【００４４】
以下、前記コンタクトについて詳しく説明する。
【００４５】
前記コンタクトは、導電性を有する金属板がプレス成型されたものであって、基板１０上に半田接続（電気的且つ機械的に接続）される第１、第２のベース部１００ａ、１００ｂと、冷陰極蛍光ランプ２０にアダプタ３０を介して電気的且つ機械的に接続される接続部２００と、第１のベース部１００ａと接続部２００との間に設けられ且つ冷陰極蛍光ランプ２０の長さ方向に沿うＹ方向（第１の方向）、−Ｙ方向（第２の方向）、Ｘ方向（第３の方向）及び−Ｘ方向（第４の方向）に弾性変形可能な一対の第１の弾性変形部３００ａと、第２のベース部１００ｂと接続部２００との間に設けられ且つ冷陰極蛍光ランプ２０の長さ方向に沿うＹ方向（第１の方向）、−Ｙ方向（第２の方向）、Ｘ方向（第３の方向）及び−Ｘ方向（第４の方向）に弾性変形可能な一対の第２の弾性変形部３００ｂとを備えている。
【００４６】
接続部２００は、図３（ｂ）に示すように、断面視略Ｕ字状の板状体であって、基板１０の上面上に載置され且つアダプタ３０を支持可能な支持部２１０と、この支持部２１０のＸ、−Ｘ方向（即ち、幅方向）の両端部に連続して設けられており且つ支持部２１０に対して略直角に折り曲げられた一対のクランプ部２２０とを有している。
【００４７】
支持部２１０は、図１（ｂ）、図２（ｂ）、図２（ｃ）、図２（ａ）及び図２（ｂ）に示すように、基板１０の上面上に載置される略矩形状の板状部２１１と、この板状部２１１の中心部がカットされ且つＺ方向に折り曲げられた（即ち、切り上げた）支持片２１２とを有する。
【００４８】
支持片２１２は、図３（ａ）に示すように、板状部２１１に連続し且つ当該板状部２１１に対して略直角に折り曲げられた基端部と、この基端部に連続し且つ基板１０と略平行になるように折り曲げられた先端部とを有する。この先端部に冷陰極蛍光ランプ２０が接続されたアダプタ３０が載置される。このようにして支持片２１２の先端部が冷陰極蛍光ランプ２０が接続されたアダプタ３０を支持する。
【００４９】
各クランプ部２２０は、図３（ｂ）に示すように、板状部２１１の幅方向の両端部に連続し且つ略直角に折り曲げられた基端部と、この基端部の上端に連続し且つ内側に向けて横向き略Ｕ字状に湾曲した当接部２２１と、この当接部２２１の上端に連続し且つ外側に向けて傾斜した傾斜部２２２とを有する。
【００５０】
一対の傾斜部２２２の上端の間の距離はアダプタ３０の円筒状部３１の外径よりも大きくなっている。このため、一対の傾斜部２２２の間に円筒状部３１が挿入される。
【００５１】
一対の当接部２２１の頂部の間の距離は円筒状部３１の外径よりも小さくなっている。この当接部２２１の間に円筒状部３１が挿入されると、当該当接部２２１が円筒状部３１に弾性的に当接し、支持部２１０の支持片２１２との間で当該円筒状部３１を挟持する。これにより、アダプタ３０の円筒状部３１が接続部２００に電気的且つ機械的に接続され、アダプタ３０及び冷陰極蛍光ランプ２０のＺ方向への移動が抑止される。
【００５２】
この接続状態で、接続部２００は、冷陰極蛍光ランプ２０の熱膨張に応じてアダプタ３０と共にＹ、Ｘ、−Ｘ方向及びこれらの組み合わせ方向に移動する一方、冷陰極蛍光ランプ２０の熱収縮に応じてアダプタ３０と共に−Ｙ、Ｘ、−Ｘ方向及びこれらの組み合わせ方向に移動する。
【００５３】
クランプ部２２０の基端部は、円筒状部３１が一対の当接部２２１の間に挿入され、当該当接部２２１を外側に押圧する際に弾性変形するようになっている。
【００５４】
各第１の弾性変形部３００ａは、図１（ｂ）及び図２（ｃ）に示すように、略Ｕ字状の板状体であって、第１のベース部１００ａの第１のベース板１１０ａの切欠き部の内縁部に連続するＹ方向側の端部である一端部３１０ａと、接続部２００の板状部２１１のＹ方向側の端部に連続する−Ｙ方向側の端部である他端部３２０ａとを有する。
【００５５】
第１の弾性変形部３００ａは、接続部２００のＹ方向への移動に応じて、一端部３１０ａと他端部３２０ａとが互いに近づく方向（即ち、Ｙ方向）に弾性変形可能になっている。第１の弾性変形部３００ａは、接続部２００の−Ｙ方向への移動に応じて、一端部３１０ａと他端部３２０ａとが互いに離れる方向（即ち、−Ｙ方向）に弾性変形可能になっている。
【００５６】
また、第１の弾性変形部３００ａは、接続部２００のＸ方向への移動に応じて、他端部３２０ａが一端部３１０ａに対してＸ方向に位置ずれするように弾性変形可能になっている。第１の弾性変形部３００ａは、接続部２００の−Ｘ方向への移動に応じて、他端部３２０ａが一端部３１０ａに対して−Ｘ方向に位置ずれするように弾性変形可能になっている。
【００５７】
各第２の弾性変形部３００ｂは、図１（ｂ）及び図２（ｃ）に示すように、略Ｕ字状の板状体であって、第２のベース部１００ｂの第２のベース板１１０ｂの切欠き部の内縁部に連続する−Ｙ方向側の端部である一端部３１０ｂと、接続部２００の板状部２１１の−Ｙ方向側の端部に連続するＹ方向側の端部である他端部３２０ｂとを有する。
【００５８】
第２の弾性変形部３００ｂは、接続部２００のＹ方向への移動に応じて、一端部３１０ｂと他端部３２０ｂとが互いに離れる方向（即ち、Ｙ方向）に弾性変形可能になっている。第２の弾性変形部３００ｂは、接続部２００の−Ｙ方向への移動に応じて、一端部３１０ｂと他端部３２０ｂとが互いに近づく方向（即ち、−Ｙ方向）に弾性変形可能になっている。
【００５９】
また、第２の弾性変形部３００ｂは、接続部２００のＸ方向への移動に応じて、他端部３２０ｂが一端部３１０ｂに対してＸ方向に位置ずれするように弾性変形可能になっている。第２の弾性変形部３００ｂは、接続部２００の−Ｘ方向への移動に応じて、他端部３２０ｂが一端部３１０ｂに対して−Ｘ方向に位置ずれするように弾性変形可能になっている。
【００６０】
第１のベース部１００ａは、接続部２００のＹ方向側に隙間を空けて配置される板状体であって、底面視略Ｕ字状の第１のベース板１１０ａと、この第１のベース板１１０ａのＹ方向の端部に連続し且つ当該第１のベース板１１０ａに対し略直角に折り曲げられた移動規制板１２０ａ（第３の移動規制手段）と、移動規制板１２０ａの中間部をカットした部位である移動規制アーム１３０ａ（第１、第２の移動規制手段）とを有する。
【００６１】
第１のベース板１１０ａの−Ｙ方向の端部の中央部には切欠き部が設けられている。また、第１のベース板１１０ａのＸ、−Ｘ方向の両端部には円形の貫通穴が設けられている。この第１のベース板１１０ａの前記両端部が基板１０の接点パターン１１に半田接続される（即ち、電気的且つ機械的に接続される。）。前記貫通穴には前記半田接続時に半田が入り込むようになっている。これにより、第１のベース板１１０ａの前記両端部と基板１０との機械的な接続強度が向上する。
【００６２】
移動規制板１２０ａは、前述の如く中間部がカットされることにより形成されたスリット１２１ａと、このスリット１２１ａにより分割された２枚の規制板１２２ａ（当止部）とを有する。
【００６３】
このスリット１２１ａには、冷陰極蛍光ランプ２０及びアダプタ３０が接続部２００に接続される際に、冷陰極蛍光ランプ２０のリード端子２２及びアダプタ３０の接続片３２が挿入される。即ち、両規制板１２２ａがスリット１２１ａに冷陰極蛍光ランプ２０のリード端子２２及びアダプタ３０の接続片３２挿入する際のガイドとして機能するようになっている。
【００６４】
各規制板１２２ａは、図４（ｂ）に示すように、その内側部分（即ち、移動規制板１２０ａのスリット１２１ａの両縁部）が、接続部２００に接続された円筒状部３１のＹ方向側の端面及び冷陰極蛍光ランプ２０のランプ本体部２１のＹ方向側の端面に隙間を空けて対向配置される。即ち、規制板１２２ａは、冷陰極蛍光ランプ２０が熱膨張することによりＹ方向に移動する円筒状部３１のＹ方向側の端面に当接されるようになっている。これにより、規制板１２２ａが円筒状部３１のＹ方向への所定以上の移動を規制し、冷陰極蛍光ランプ２０のＹ方向への所定以上の熱膨張を規制する。
【００６５】
移動規制アーム１３０ａは、図２（ｂ）、図３（ａ）及び図３（ｂ）に示すように、移動規制板１２０ａの中間部がカットされ且つ−Ｙ方向に向けて折り返された板状体であって、第１のベース板１１０ａのＹ方向側の端部に連続し且つ−Ｙ方向側に向けて断面略Ｃ字状に湾曲した湾曲部１３１ａと、この湾曲部１３１ａの先端に連続し且つ支持部２１０の板状部２１１と略平行に配置される直線状の規制部１３２ａとを有する。
【００６６】
湾曲部１３１ａの頂部は支持部２１０の支持片２１２の先端部と同一高さに設定されている。
【００６７】
規制部１３２ａの先端部の中央部には、図２（ｂ）に示すように、略矩形状の切欠き１３２ａ１が設けられている。切欠き１３２ａ１には支持部２１０の支持片２１２の基端部がＹ、Ｘ及び−Ｘ方向に隙間を空けて挿入される。
【００６８】
即ち、規制部１３２ａの切欠き１３２ａ１のＹ方向側の縁部が冷陰極蛍光ランプ２０が熱膨張することによりＹ方向に移動する接続部２００の支持片２１２の基端部に当接されるようになっている。これにより、接続部２００の支持片２１２のＹ方向への所定以上の移動を規制し且つ一対の第１、第２の弾性変形部３００ａ、３００ｂのＹ方向への所定以上の弾性変形を規制する。
【００６９】
また、規制部１３２ａの切欠き１３２ａ１のＸ、−Ｘ方向側の両縁部が冷陰極蛍光ランプ２０が熱膨張することによりＸ、−Ｘ方向に移動する接続部２００の支持片２１２の基端部に当接されるようになっている。これにより、接続部２００の支持片２１２のＸ、−Ｘ方向への所定以上の移動を各々規制し且つ一対の第１、第２の弾性変形部３００ａ、３００ｂのＸ、−Ｘ方向への所定以上の弾性変形を各々規制する。
【００７０】
第２のベース部１００ｂは、接続部２００の−Ｙ方向側に隙間を空けて配置される板状体であって、底面視略Ｕ字状の第２のベース板１１０ｂと、この第２のベース板１１０ｂの−Ｙ方向の端部に連続し且つＹ方向に向けて折り返された移動規制アーム１２０ｂ（第１の移動規制手段）とを有する。
【００７１】
第２のベース板１１０ｂのＹ方向の端部の中央部には切欠き部が設けられている。また、第２のベース板１１０ｂのＸ、−Ｘ方向の両端部には円形の貫通穴が設けられている。この第２のベース板１１０ｂの前記両端部が基板１０の接点パターン１１に半田接続される（即ち、電気的且つ機械的に接続される。）。前記貫通穴には前記半田接続時に半田が入り込むようになっている。これにより、第２のベース板１１０ｂの前記両端部と基板１０との機械的な接続強度が向上する。
【００７２】
移動規制アーム１２０ｂは、図２（ｂ）、図３（ａ）及び図３（ｂ）に示すように、移動規制アーム１３０ａよりも幅広の板状体であって、第２のベース板１１０ｂの−Ｙ方向側の端部に連続し且つＹ方向側に向けて断面略Ｃ字状に湾曲した湾曲部１２１ｂと、この湾曲部１２１ｂの先端の中央部に連続し且つ支持部２１０の板状部２１１と略平行に配置される平面凸字状の規制部１２２ｂとを有する。
【００７３】
規制部１２２ｂの先端のＸ、−Ｘ方向の両端部（即ち、凸部の両側部）は、接続部２００の一対のクランプ部２２０に隙間を空けて対向配置される。即ち、規制部１２２ｂの先端の両端部は、冷陰極蛍光ランプ２０が熱膨張することにより−Ｙ方向に移動する一対のクランプ部２２０に当接されるようになっている。これにより、規制部１２２ｂの先端の両端部が一対のクランプ部２２０の−Ｙ方向への所定以上の移動を規制し且つ一対の第１、第２の弾性変形部３００ａ、３００ｂの−Ｙ方向への所定以上の弾性変形を規制する。
【００７４】
湾曲部１２１ｂの頂部は支持部２１０の支持片２１２の先端部と同一高さに設定されている。
【００７５】
上述した構成のコンタクトには冷陰極蛍光ランプ２０に接続されたアダプタ３０が次のように接続される。
【００７６】
まず、アダプタ３０の接続片３２及び冷陰極蛍光ランプ２０のリード端子２２を移動規制板１２０ａのスリット１２１ａに挿入すると共に、当該アダプタ３０の円筒状部３１及び冷陰極蛍光ランプ２０のランプ本体部２１の端部を接続部２００の一対のクランプ部２２０の傾斜部２２２の間に挿入する。すると、アダプタ３０の円筒状部３１の外周面が一対のクランプ部２２０の当接部２２１の頂部を各々押圧する。これにより、一対の当接部２２１が外側に変位し、一対のクランプ部２２０の基端部が外側に弾性変形する。円筒状部３１が一対の当接部２２１の頂部を乗り越えると、当該当接部２２１が内側に変位し、一対のクランプ部２２０の基端部が復元する。これにより、一対の当接部２２１が円筒状部３１に弾性的に当接し、支持部２１０の支持片２１２との間で当該円筒状部３１を挟持する。
【００７７】
以下、このように前記コンタクトにアダプタ３０を介して接続された冷陰極蛍光ランプ２０が熱膨張又は熱収縮した場合の当該コンタクトの動作について説明する。
【００７８】
冷陰極蛍光ランプ２０が熱膨張し、アダプタ３０及び接続部２００がＹ方向に移動すると、一対の第１の弾性変形部３００ａの一端部３１０ａと他端部３２０ａとが互いに近づく方向に各々弾性変形すると共に、一対の第２の弾性変形部３００ｂの一端部３１０ｂと他端部３２０ｂとが互いに離れる方向に各々弾性変形する。このように第１、第２の弾性変形部３００ａ、３００ｂがＹ方向に弾性変形することにより、冷陰極蛍光ランプ２０の所定以内の熱膨張が吸収される。
【００７９】
その後、冷陰極蛍光ランプ２０が更に熱膨張し、アダプタ３０及び接続部２００が更にＹ方向に移動すると、接続部２００の支持片２１２の基端部が第１のベース部１００ａの移動規制アーム１３０ａの切欠き１３２ａ１のＹ方向側の縁部に当接する。これにより、接続部２００及びアダプタ３０のＹ方向への所定以上の移動が規制されると共に、第１、第２の弾性変形部３００ａ、３００ｂのＹ方向への所定以上の弾性変形が規制される。この規制により、冷陰極蛍光ランプ２０のＹ方向への所定以上の熱膨張が抑止される。
【００８０】
このとき、アダプタ３０のＹ方向側の端部が第１のベース部１００ａの移動規制板１２０ａの２枚の規制板１２２ａの内側部分に各々当接する。これによっても、冷陰極蛍光ランプ２０のＹ方向への所定以上の熱膨張が抑止される。
【００８１】
冷陰極蛍光ランプ２０が熱収縮し、アダプタ３０及び接続部２００が−Ｙ方向に移動すると、一対の第１の弾性変形部３００ａの一端部３１０ａと他端部３２０ａとが互いに離れる方向に各々弾性変形すると共に、一対の第２の弾性変形部３００ｂの一端部３１０ｂと他端部３２０ｂとが互いに近づく方向に各々弾性変形する。このように第１、第２の弾性変形部３００ａ、３００ｂが−Ｙ方向に弾性変形することにより、冷陰極蛍光ランプ２０の所定以内の熱収縮が吸収される。
【００８２】
その後、冷陰極蛍光ランプ２０が更に熱収縮し、アダプタ３０及び接続部２００が更に−Ｙ方向に移動すると、接続部２００の一対のクランプ部２２０の−Ｙ方向側の端部が第２のベース部１００ｂの移動規制アーム１２０ｂの規制部１２２ｂの先端の上記両端部に各々当接する。これにより、接続部２００及びアダプタ３０の−Ｙ方向への所定以上の移動が規制されると共に、第１、第２の弾性変形部３００ａ、３００ｂの−Ｙ方向への所定以上の弾性変形が規制される。この規制により、冷陰極蛍光ランプ２０の−Ｙ方向への所定以上の熱収縮が抑止される。
【００８３】
冷陰極蛍光ランプ２０が熱膨張又は熱収縮し、接続部２００がＸ方向に移動すると、一対の第１の弾性変形部３００ａの他端部３２０ａが一端部３１０ａに対してＸ方向に位置ずれするように各々弾性変形すると共に、一対の第２の弾性変形部３００ｂの他端部３２０ｂが一端部３１０ｂに対してＸ方向に位置ずれするように各々弾性変形する。このように第１、第２の弾性変形部３００ａ、３００ｂがＸ方向に弾性変形することにより、冷陰極蛍光ランプ２０の所定以内の熱収縮又は熱収縮が吸収される。
【００８４】
その後、冷陰極蛍光ランプ２０が更に熱膨張又は熱収縮し、アダプタ３０及び接続部２００が更にＸ方向に移動すると、接続部２００の支持片２１２の基端部が第１のベース部１００ａの移動規制アーム１３０ａの切欠き１３２ａ１のＸ方向側の縁部に当接する。これにより、接続部２００及びアダプタ３０のＸ方向への所定以上の移動が規制されると共に、第１、第２の弾性変形部３００ａ、３００ｂのＸ方向への所定以上の弾性変形が規制される。この規制により、冷陰極蛍光ランプ２０のＸ方向への所定以上の熱膨張又は熱収縮が抑止される。
【００８５】
冷陰極蛍光ランプ２０が熱膨張又は熱収縮し、接続部２００が−Ｘ方向に移動すると、一対の第１の弾性変形部３００ａの他端部３２０ａが一端部３１０ａに対して−Ｘ方向に位置ずれするように各々弾性変形すると共に、一対の第２の弾性変形部３００ｂの他端部３２０ｂが一端部３１０ｂに対して−Ｘ方向に位置ずれするように各々弾性変形する。このように第１、第２の弾性変形部３００ａ、３００ｂが−Ｘ方向に弾性変形することにより、冷陰極蛍光ランプ２０の所定以内の熱収縮又は熱収縮が吸収される。
【００８６】
その後、冷陰極蛍光ランプ２０が更に熱膨張又は熱収縮し、アダプタ３０及び接続部２００が更に−Ｘ方向に移動すると、接続部２００の支持片２１２の基端部が第１のベース部１００ａの移動規制アーム１３０ａの切欠き１３２ａ１の−Ｘ方向側の縁部に当接する。これにより、接続部２００及びアダプタ３０の−Ｘ方向への所定以上の移動が規制されると共に、第１、第２の弾性変形部３００ａ、３００ｂの−Ｘ方向への所定以上の弾性変形が規制される。この規制により、冷陰極蛍光ランプ２０の−Ｘ方向への所定以上の熱膨張又は熱収縮が抑止される。
【００８７】
冷陰極蛍光ランプ２０が熱膨張し、接続部２００が“Ｙ及びＸ方向の組み合わせ方向”又は“Ｙ及び−Ｘ方向の組み合わせ方向”に移動したときは、上述した各方向におけるコンタクトの各部の動作が同時に起こる。また、冷陰極蛍光ランプ２０が熱収縮し、接続部２００が“−Ｙ及びＸ方向の組み合わせ方向”又は“−Ｙ及び−Ｘ方向の組み合わせ方向”に移動したときも同様である。
【００８８】
このようなコンタクトによる場合、冷陰極蛍光ランプ２０の熱膨張又は熱収縮に応じて一対の第１、第２の弾性変形部３００ａ、３００ｂが各々弾性変形し、当該熱膨張又は熱収縮を吸収することができる。よって、冷陰極蛍光ランプ２０が熱膨張又は熱収縮することにより、従来例のごとくアダプタ３０が接続部２００の一対のクランプ部２２０内を移動し当該アダプタ３０とクランプ部２２０との接続が不安定になったり、冷陰極蛍光ランプ２０に負荷が掛かったりするのを抑止することができる。
【００８９】
また、接続部２００の支持片２１２が移動規制アーム１３０ａの切欠き１３２ａ１のＹ方向側、Ｘ方向側及び−Ｘ方向側の縁部に各々当接することにより、接続部２００のＹ、Ｘ及び−Ｘ方向への所定以上の移動及び第１、第２の弾性変形部３００ａ、３００ｂの同方向への所定以上の弾性変形を各々規制することができる。また、接続部２００の一対のクランプ部２２０の−Ｙ方向側の端部が移動規制アーム１２０ｂの規制部１２２ｂの先端の両端部に各々当接することにより、接続部２００の−Ｙ方向への所定以上の移動及び第１、第２の弾性変形部３００ａ、３００ｂの同方向への所定以上の弾性変形を各々規制することができる。この規制の結果、冷陰極蛍光ランプ２０がＹ、−Ｙ、Ｘ及び−Ｘ方向に所定以上の熱膨張及び熱収縮するのを抑止することができる。また、アダプタ３０のＹ方向側の端部が第１のベース部１００ａの移動規制板１２０ａの２枚の規制板１２２ａの内側部分に各々当接することによっても、冷陰極蛍光ランプ２０のＹ方向への所定以上の熱膨張を抑止することができる。よって、冷陰極蛍光ランプ２０が所定以上熱膨張又は熱収縮することにより、前記コンタクトが搭載される電子機器の他の部品に衝突する等の不具合を防止することができる。
【実施例２】
【００９０】
次に、本発明の実施例２に係るコンタクトについて下記の図面を参照しつつ説明する。図５が本発明の実施例２の形態に係るコンタクトを示す概略図であって、（ａ）が正面上方から見た斜視図、（ｂ）が正面下方から見た斜視図、図６が同コンタクトを示す概略図であって、（ａ）が正面図、（ｂ）が平面図、（ｃ）が底面図、（ｄ）が右側面図、（ｅ）が左側面図である。
【００９１】
図５及び図６に示すコンタクトは、主として第１のベース部１００ａに移動規制アーム１３０ａの代わりに支持アーム１４０ａが設けられている点及び第１、第２のベース部１００ａ、１００ｂと接続部２００との間に第１、第２の弾性変形部３００ａ、３００ｂが一つだけ設けられている点で実施例１のコンタクトと相違する。以下、その相違点について詳しく説明し、重複する部分については説明を省略する。
【００９２】
第１のベース部１００ａの第１のベース板１１０ａは略矩形状の板体である点で実施例１の第１のベース板１１０ａと相違している。また、第１のベース部１００ａの支持アーム１４０ａは、図５（ａ）、図６（ａ）及び図６（ｂ）に示すように、移動規制板１２０ａの中間部がカットされ且つ−Ｙ方向に向けて折り返された板状体であって、第１のベース板１１０ａのＹ方向側の端部に連続し且つ−Ｙ方向側に向けて断面略Ｃ字状に湾曲した湾曲部１４１ａと、この湾曲部１４１ａの先端に連続する一段の階段形状の支持板１４２ａとを有する。
【００９３】
支持板１４２ａの上段部は接続部２００の連結板２３０と略平行に配置される。この上段部がアダプタ３０の円筒状部３１を支持する。
【００９４】
湾曲部１４１ａの頂部の高さ位置は支持板１４２ａの上段部の高さ位置と略同じになっている。
【００９５】
接続部２００は、支持部２１０の代わりに、一対のクランプ部２２０の基端部同士を連結する略矩形状の連結板２３０を有している点で実施例１の接続部２００と相違している。
【００９６】
第１の弾性変形部３００ａは、その全体の形状が実施例１の第１の弾性変形部３００ａよりも大きくなっている。第１の弾性変形部３００ａの一端部３１０ａは第１のベース板１１０ａの−Ｙ方向側の端部に連結されている。第１の弾性変形部３００ａの他端部３２０ａは接続部２００の連結板２３０のＹ方向側の端部に連結されている。
【００９７】
第２の弾性変形部３００ｂもその全体の形状が実施例１の第２の弾性変形部３００ｂよりも大きくなっている。第２の弾性変形部３００ｂの一端部３１０ｂは第２のベース板１１０ｂの切欠き部の−Ｙ方向側の縁部に連結されている。第２の弾性変形部３００ｂの他端部３２０ｂは接続部２００の連結板２３０の−Ｙ方向側の端部に連結されている。
【００９８】
このような構成のコンタクトには冷陰極蛍光ランプ２０に接続されたアダプタ３０が次のように接続される。
【００９９】
まず、アダプタ３０の接続片３２及び冷陰極蛍光ランプ２０のリード端子２２を移動規制板１２０ａのスリット１２１ａに挿入すると共に、当該アダプタ３０の円筒状部３１及び冷陰極蛍光ランプ２０のランプ本体部２１の端部を接続部２００の一対のクランプ部２２０の傾斜部２２２の間に挿入する。すると、アダプタ３０の円筒状部３１の外周面が一対のクランプ部２２０の当接部２２１の頂部を各々押圧する。これにより、一対の当接部２２１が外側に変位し、一対のクランプ部２２０の基端部が外側に弾性変形する。円筒状部３１が一対の当接部２２１の頂部を乗り越えると、当該当接部２２１が内側に変位し、一対のクランプ部２２０の基端部が復元する。これにより、一対の当接部２２１が円筒状部３１に弾性的に当接し、支持アーム１４０ａの支持板１４２ａの上段部との間で当該円筒状部３１を挟持する。
【０１００】
以下、このように前記コンタクトにアダプタ３０を介して接続された冷陰極蛍光ランプ２０が熱膨張又は熱収縮した場合の当該コンタクトの動作について説明する。
【０１０１】
冷陰極蛍光ランプ２０が熱膨張し、アダプタ３０及び接続部２００がＹ方向に移動すると、第１の弾性変形部３００ａの一端部３１０ａと他端部３２０ａとが互いに近づく方向に弾性変形すると共に、第２の弾性変形部３００ｂの一端部３１０ｂと他端部３２０ｂとが互いに離れる方向に弾性変形する。このように第１、第２の弾性変形部３００ａ、３００ｂがＹ方向に弾性変形することにより、冷陰極蛍光ランプ２０の所定以内の熱膨張が吸収される。
【０１０２】
冷陰極蛍光ランプ２０が更にＹ方向に熱膨張すると、アダプタ３０のＹ方向側の端部が第１のベース部１００ａの移動規制板１２０ａの２枚の規制板１２２ａの内側部分に各々当接する。これにより、アダプタ３０のＹ方向への所定以上の熱膨張が抑止される。
【０１０３】
冷陰極蛍光ランプ２０が熱収縮し、アダプタ３０及び接続部２００が−Ｙ方向に移動すると、第１の弾性変形部３００ａの一端部３１０ａと他端部３２０ａとが互いに離れる方向に弾性変形すると共に、第２の弾性変形部３００ｂの一端部３１０ｂと他端部３２０ｂとが互いに近づく方向に弾性変形する。このように第１、第２の弾性変形部３００ａ、３００ｂが−Ｙ方向に弾性変形することにより、冷陰極蛍光ランプ２０の所定以内の熱収縮が吸収される。
【０１０４】
その後、冷陰極蛍光ランプ２０が更に熱収縮し、アダプタ３０及び接続部２００が更に−Ｙ方向に移動すると、接続部２００の一対のクランプ部２２０の−Ｙ方向側の端部が第２のベース部１００ｂの移動規制アーム１２０ｂの規制部１２２ｂの先端の両端部に当接する。これにより、接続部２００及びアダプタ３０の−Ｙ方向への所定以上の移動が規制されると共に、第１、第２の弾性変形部３００ａ、３００ｂの−Ｙ方向への所定以上の弾性変形が規制される。この規制により、冷陰極蛍光ランプ２０の−Ｙ方向への所定以上の熱収縮が抑止される。
【０１０５】
冷陰極蛍光ランプ２０が熱膨張又は熱収縮し、接続部２００がＸ方向に移動すると、第１の弾性変形部３００ａの他端部３２０ａが一端部３１０ａに対してＸ方向に位置ずれするように弾性変形すると共に、第２の弾性変形部３００ｂの他端部３２０ｂが一端部３１０ｂに対してＸ方向に位置ずれするように弾性変形する。このように第１、第２の弾性変形部３００ａ、３００ｂがＸ方向に弾性変形することにより、冷陰極蛍光ランプ２０の熱収縮又は熱収縮が吸収される。
【０１０６】
冷陰極蛍光ランプ２０が熱膨張又は熱収縮し、接続部２００が−Ｘ方向に移動すると、第１の弾性変形部３００ａの他端部３２０ａが一端部３１０ａに対して−Ｘ方向に位置ずれするように弾性変形すると共に、第２の弾性変形部３００ｂの他端部３２０ｂが一端部３１０ｂに対して−Ｘ方向に位置ずれするように弾性変形する。このように第１、第２の弾性変形部３００ａ、３００ｂが−Ｘ方向に弾性変形することにより、冷陰極蛍光ランプ２０の熱収縮又は熱収縮が吸収される。
【０１０７】
冷陰極蛍光ランプ２０が熱膨張し、接続部２００が“Ｙ及びＸ方向の組み合わせ方向”又は“Ｙ及び−Ｘ方向の組み合わせ方向”に移動したときは、上述した各方向におけるコンタクトの各部の動作が同時に起こる。また、冷陰極蛍光ランプ２０が熱収縮し、接続部２００が“−Ｙ及びＸ方向の組み合わせ方向”又は“−Ｙ及び−Ｘ方向の組み合わせ方向”に移動したときも同様である。
【０１０８】
このようなコンタクトによる場合、冷陰極蛍光ランプ２０の熱膨張又は熱収縮に応じて第１、第２の弾性変形部３００ａ、３００ｂが弾性変形し、当該熱膨張又は熱収縮を吸収することができる。よって、冷陰極蛍光ランプ２０が熱膨張又は熱収縮することにより、従来例のごとくアダプタ３０が接続部２００の一対のクランプ部２２０内を移動し当該アダプタ３０とクランプ部２２０との接続が不安定になったり、冷陰極蛍光ランプ２０に負荷が掛かったりするのを抑止することができる。
【０１０９】
また、接続部２００の一対のクランプ部２２０の−Ｙ方向側の端部が移動規制アーム１２０ｂの規制部１２２ｂの先端の両端部に各々当接することにより、接続部２００の−Ｙ方向への所定以上の移動及び第１、第２の弾性変形部３００ａ、３００ｂの同方向への所定以上の弾性変形を各々規制することができる。この規制の結果、冷陰極蛍光ランプ２０が−Ｙ方向に所定以上の熱収縮するのを抑止することができる。また、アダプタ３０のＹ方向側の端部が第１のベース部１００ａの移動規制板１２０ａの２枚の規制板１２２ａの内側部分に各々当接することによっても、冷陰極蛍光ランプ２０のＹ方向への所定以上の熱膨張を抑止することができる。従って、冷陰極蛍光ランプ２０が所定以上熱膨張又は熱収縮することにより、前記コンタクトが搭載される電子機器の他の部品に衝突する等の不具合を抑止することができる。
【実施例３】
【０１１０】
次に、本発明の実施例３に係るコンタクトについて下記の図面を参照しつつ説明する。図７が本発明の実施例３の形態に係るコンタクトを示す概略図であって、（ａ）が正面上方から見た斜視図、（ｂ）が正面下方から見た斜視図、図８が同コンタクトを示す概略図であって、（ａ）が正面図、（ｂ）が平面図、（ｃ）が底面図、（ｄ）が右側面図、（ｅ）が左側面図である。
【０１１１】
図７及び図８に示すコンタクトは、主として第１のベース部１００ａに移動規制アーム１３０ａの代わりに支持アーム１４０ａが設けられている点、第２のベース部１００ｂの移動規制アーム１２０ｂの形状及び一対の第１、第２の弾性変形部３００ａ、３００ｂの形状が実施例１のコンタクトと相違する。以下、その相違点について詳しく説明し、重複する部分については説明を省略する。
【０１１２】
支持アーム１４０ａは、支持板１４２ａの上段部の長さ寸法が実施例２の支持アーム１４０ａよりも短くなっている。
【０１１３】
移動規制アーム１２０ｂは、規制部１２２ｂの先端に一段の階段形状の支持板１２３ｂが延設されている点で実施例１の移動規制アーム１２０ｂと相違している。この支持板１２３ｂの上段部は接続部２００の連結板２３０に略平行に配置され且つ支持板１４２ａの上段部と同一高さに設定されている。即ち、支持板１２３ｂの上段部及び支持板１４２ａの上段部が同一高さになっており、円筒状部３１を支持するようになっている。
【０１１４】
接続部２００は、支持部２１０の代わりに、一対のクランプ部２２０の基端部を繋ぐ略矩形状の連結板２３０を有している点で実施例１の接続部２００と相違している。
【０１１５】
各第１の弾性変形部３００ａは、他端部３２０ａが略Ｌ字状に折り曲げられ、接続部２００の板状部２１１ではなく、クランプ部２２０の基端部のＹ方向側の端部に連結されている点で実施例１の第１の弾性変形部３００ａと相違している。
【０１１６】
第１の弾性変形部３００ａは、接続部２００のＹ方向への移動に応じて、一端部３１０ａと他端部３２０ａの折曲部とが互いに近づく方向（即ち、Ｙ方向）に弾性変形可能になっている。第１の弾性変形部３００ａは、接続部２００の−Ｙ方向への移動に応じて、一端部３１０ａと他端部３２０ａの折曲部とが互いに離れる方向（即ち、−Ｙ方向）に弾性変形可能になっている。
【０１１７】
また、第１の弾性変形部３００ａは、接続部２００のＸ方向への移動に応じて、他端部３２０ａの折曲部が一端部３１０ａに対してＸ方向に位置ずれするように弾性変形可能になっている。第１の弾性変形部３００ａは、接続部２００の−Ｘ方向への移動に応じて、他端部３２０ａの折曲部が一端部３１０ａに対して−Ｘ方向に位置ずれするように弾性変形可能になっている。
【０１１８】
各第２の弾性変形部３００ｂは、他端部３２０ｂが略Ｌ字状に折り曲げられ、接続部２００の板状部２１１ではなく、クランプ部２２０の基端部の−Ｙ方向側の端部に連結されている点で実施例１の第２の弾性変形部３００ｂと相違している。
【０１１９】
第２の弾性変形部３００ｂは、接続部２００のＹ方向への移動に応じて、一端部３１０ｂと他端部３２０ｂの折曲部とが互いに離れる方向（即ち、Ｙ方向）に弾性変形可能になっている。第２の弾性変形部３００ｂは、接続部２００の−Ｙ方向への移動に応じて、一端部３１０ｂと他端部３２０ｂの折曲部とが互いに近づく方向（即ち、−Ｙ方向）に弾性変形可能になっている。
【０１２０】
また、第２の弾性変形部３００ｂは、接続部２００のＸ方向への移動に応じて、他端部３２０ｂの折曲部が一端部３１０ｂに対してＸ方向に位置ずれするように弾性変形可能になっている。第２の弾性変形部３００ｂは、接続部２００の−Ｘ方向への移動に応じて、他端部３２０ｂの折曲部が一端部３１０ｂに対して−Ｘ方向に位置ずれするように弾性変形可能になっている。
【０１２１】
このような構成のコンタクトには冷陰極蛍光ランプ２０に接続されたアダプタ３０が次のように接続される。
【０１２２】
まず、アダプタ３０の接続片３２及び冷陰極蛍光ランプ２０のリード端子２２を移動規制板１２０ａのスリット１２１ａに挿入すると共に、当該アダプタ３０の円筒状部３１及び冷陰極蛍光ランプ２０のランプ本体部２１の端部を接続部２００の一対のクランプ部２２０の傾斜部２２２の間に挿入する。すると、アダプタ３０の円筒状部３１の外周面が一対のクランプ部２２０の当接部２２１の頂部を各々押圧する。これにより、一対の当接部２２１が外側に変位し、一対のクランプ部２２０の基端部が外側に弾性変形する。円筒状部３１が一対の当接部２２１の頂部を乗り越えると、当該当接部２２１が内側に変位し、一対のクランプ部２２０の基端部が復元する。これにより、一対の当接部２２１が円筒状部３１に弾性的に当接し、支持アーム１４０ａの支持板１４２ａの上段部及び位置規制アーム１２０ｂの支持板１２３ｂの上段部との間で当該円筒状部３１を挟持する。
【０１２３】
以下、このように前記コンタクトにアダプタ３０を介して接続された冷陰極蛍光ランプ２０が熱膨張又は熱収縮した場合の当該コンタクトの動作について説明する。
【０１２４】
冷陰極蛍光ランプ２０が熱膨張し、アダプタ３０及び接続部２００がＹ方向に移動すると、第１の弾性変形部３００ａの一端部３１０ａと他端部３２０ａの折曲部とが互いに近づく方向に弾性変形すると共に、第２の弾性変形部３００ｂの一端部３１０ｂと他端部３２０ｂの折曲部とが互いに離れる方向に弾性変形する。このように第１、第２の弾性変形部３００ａ、３００ｂがＹ方向に弾性変形することにより、冷陰極蛍光ランプ２０の所定以内の熱膨張が吸収される。
【０１２５】
冷陰極蛍光ランプ２０が更にＹ方向に熱膨張すると、アダプタ３０のＹ方向側の端部が第１のベース部１００ａの移動規制板１２０ａの２枚の規制板１２２ａの内側部分に各々当接する。これにより、冷陰極蛍光ランプ２０のＹ方向への所定以上の熱膨張が抑止される。
【０１２６】
冷陰極蛍光ランプ２０が熱収縮し、アダプタ３０及び接続部２００が−Ｙ方向に移動すると、第１の弾性変形部３００ａの一端部３１０ａと他端部３２０ａの折曲部とが互いに離れる方向に弾性変形すると共に、第２の弾性変形部３００ｂの一端部３１０ｂと他端部３２０ｂの折曲部とが互いに近づく方向に弾性変形する。このように第１、第２の弾性変形部３００ａ、３００ｂが−Ｙ方向に弾性変形することにより、冷陰極蛍光ランプ２０の所定以内の熱収縮が吸収される。
【０１２７】
その後、冷陰極蛍光ランプ２０が更に熱収縮し、アダプタ３０及び接続部２００が更に−Ｙ方向に移動すると、接続部２００の一対のクランプ部２２０の−Ｙ方向側の端部が第２のベース部１００ｂの移動規制アーム１２０ｂの規制部１２２ｂの先端の両端部に当接する。これにより、接続部２００及びアダプタ３０の−Ｙ方向への所定以上の移動が規制されると共に、第１、第２の弾性変形部３００ａ、３００ｂの−Ｙ方向への所定以上の弾性変形が規制される。この規制により、冷陰極蛍光ランプ２０の−Ｙ方向への所定以上の熱収縮が抑止される。
【０１２８】
冷陰極蛍光ランプ２０が熱膨張又は熱収縮し、接続部２００がＸ方向に移動すると、第１の弾性変形部３００ａの他端部３２０ａの折曲部が一端部３１０ａに対してＸ方向に位置ずれするように弾性変形すると共に、第２の弾性変形部３００ｂの他端部３２０ｂの折曲部が一端部３１０ｂに対してＸ方向に位置ずれするように弾性変形する。このように第１、第２の弾性変形部３００ａ、３００ｂがＸ方向に弾性変形することにより、冷陰極蛍光ランプ２０の熱収縮又は熱収縮が吸収される。
【０１２９】
冷陰極蛍光ランプ２０が熱膨張又は熱収縮し、接続部２００が−Ｘ方向に移動すると、第１の弾性変形部３００ａの他端部３２０ａの折曲部が一端部３１０ａに対して−Ｘ方向に位置ずれするように弾性変形すると共に、第２の弾性変形部３００ｂの他端部３２０ｂの折曲部が一端部３１０ｂに対して−Ｘ方向に位置ずれするように弾性変形する。このように第１、第２の弾性変形部３００ａ、３００ｂが−Ｘ方向に弾性変形することにより、冷陰極蛍光ランプ２０の熱収縮又は熱収縮が吸収される。
【０１３０】
冷陰極蛍光ランプ２０が熱膨張し、接続部２００が“Ｙ及びＸ方向の組み合わせ方向”又は“Ｙ及び−Ｘ方向の組み合わせ方向”に移動したときは、上述した各方向におけるコンタクトの各部の動作が同時に起こる。また、冷陰極蛍光ランプ２０が熱収縮し、接続部２００が“−Ｙ及びＸ方向の組み合わせ方向”又は“−Ｙ及び−Ｘ方向の組み合わせ方向”に移動したときも同様である。
【０１３１】
このようなコンタクトによる場合、冷陰極蛍光ランプ２０の熱膨張又は熱収縮に応じて第１、第２の弾性変形部３００ａ、３００ｂが弾性変形し、当該熱膨張又は熱収縮を吸収することができる。よって、冷陰極蛍光ランプ２０が熱膨張又は熱収縮することにより、従来例のごとくアダプタ３０が接続部２００の一対のクランプ部２２０内を移動し当該アダプタ３０とクランプ部２２０との接続が不安定になったり、冷陰極蛍光ランプ２０に負荷が掛かったりするのを抑止することができる。
【０１３２】
また、接続部２００の一対のクランプ部２２０の−Ｙ方向側の端部が移動規制アーム１２０ｂの規制部１２２ｂの先端の両端部に各々当接することにより、接続部２００の−Ｙ方向への所定以上の移動及び第１、第２の弾性変形部３００ａ、３００ｂの同方向への所定以上の弾性変形を各々規制することができる。この規制の結果、冷陰極蛍光ランプ２０が−Ｙ方向に所定以上の熱収縮するのを抑止することができる。また、アダプタ３０のＹ方向側の端部が第１のベース部１００ａの移動規制板１２０ａの２枚の規制板１２２ａの内側部分に各々当接することによっても、冷陰極蛍光ランプ２０のＹ方向への所定以上の熱膨張を抑止することができる。従って、冷陰極蛍光ランプ２０が所定以上熱膨張又は熱収縮することにより、前記コンタクトが搭載される電子機器の他の部品に衝突する等の不具合を抑止することができる。
【実施例４】
【０１３３】
次に、本発明の実施例４に係るコンタクトについて下記の図面を参照しつつ説明する。図９が本発明の実施例４の形態に係るコンタクトを示す概略図であって、（ａ）が正面上方から見た斜視図、（ｂ）が正面下方から見た斜視図、図１０が同コンタクトを示す概略図であって、（ａ）が正面図、（ｂ）が平面図、（ｃ）が底面図、（ｄ）が右側面図、（ｅ）が左側面図、（ｆ）が本図中のＡ−Ａ断面図、（ｇ）が本図中のＢ−Ｂ断面図、（ｈ）が本図中のＣ−Ｃ断面図、図１１は同コンタクトが基板上に実装され且つ冷陰極蛍光ランプ及びアダプタが接続された状態を示す概略図であって、（ａ）が正面図、（ｂ）が平面図、（ｃ）が右側面図、（ｄ）が左側面図、（ｅ）が斜視図である。
【０１３４】
図９、図１０及び図１１に示すコンタクトは、導電性を有する金属板がプレス成型されたものであって、基板１０上に半田接続（電気的且つ機械的に接続）されるベース部１００と、冷陰極蛍光ランプ２０にアダプタ３０を介して電気的且つ機械的に接続される接続部２００と、ベース部１００の折返部１５０と接続部２００との間に各々設けられ且つ冷陰極蛍光ランプ２０の長さ方向に沿うＹ方向（第１の方向）、−Ｙ方向（第２の方向）、Ｘ方向（第３の方向）及び−Ｘ方向（第４の方向）に弾性変形可能な一対の弾性変形部３００とを備えている。以下、各部について詳しく説明する。
【０１３５】
接続部２００は、図９（ａ）、図１０（ａ）及び図１０（ｂ）に示すように、断面視略Ｕ字状の板状体であって、ベース部１００のベース板１１０上に配置される略矩形状の連結板２３０と、この連結板２３０のＸ、−Ｘ方向（即ち、幅方向）側の両端部に連続して設けられており且つ連結板２３０に対して略直角に折り曲げられた一対のクランプ部２２０と、連結板２３０のＹ方向側の端部に延設され且つベース板１１０上に配置された略矩形状の当接板２４０とを有している。
【０１３６】
連結板２３０の四隅部には、図１０（ｆ）及び図１０（ｇ）に示すように、下方に向けて凸の４つの突起２３１が設けられている。この突起２３１がベース板１１０に当接することにより、当該ベース板１１０との接触面積を低減しつつ、連結板２３０の当該ベース板１１０上における移動を安定させるようになっている。
【０１３７】
また、連結板２３０のＹ方向側の端部及び当接板２４０には、図１０（ｆ）、図１０（ｇ）及び図１０（ｈ）に示すように、切り上げ片１１４が挿入される略矩形状の孔部２４１が設けられている。この孔部２４１の大きさは、連結板２３０及び当接板２４０が後述するように移動する際に、孔部２４１の縁部が切り上げ片１１４に当接しない大きさに設置されている。
【０１３８】
一対のクランプ部２２０は、移動規制アーム１３０の支持板１３２の上段部との間でアダプタ３０の円筒状部３１を挟持するようになっている以外、実施例１のクランプ部２２０と略同じである。よって、説明は省略する。
【０１３９】
ベース部１００は、図９（ａ）図１０（ａ）及び図１０（ｃ）に示すように、ベース板１１０と、このベース板１１０のＹ方向側の端部に連続し且つ当該ベース板１１０に対し略直角に折り曲げられた移動規制板１２０と、移動規制板１２０の中間部をカットした部位である移動規制アーム１３０と、ベース板１１０の−Ｙ方向側の端部に連続し且つＹ方向に向けて折り返された断面Ｃ字状の折返部１５０とを有する。
【０１４０】
ベース板１１０はＹ方向側及び−Ｙ方向側の端部が中間部に比べて幅広になっている。このベース板１１０はＹ方向側及び−Ｙ方向側の端部の両端部が、図１１に示すように、基板１０の接点パターン１１に半田接続される。
【０１４１】
また、ベース板１１０の中間部のＸ方向側及び−Ｘ方向側の端部には、一対の略Ｌ字状の板状体である位置規制片１１１、１１２が各々設けられている。この位置規制片１１１、１１２は、その上端部が接続部２００の一対のクランプ部２２０の基端部の外側に隙間を空けて対向配置される。
【０１４２】
即ち、位置規制片１１１、１１２の上端部が冷陰極蛍光ランプ２０が熱膨張することによりＸ、−Ｘ方向に移動する接続部２００の一対のクランプ部２２０の基端部に当接されるようになっている。これにより、接続部２００の一対のクランプ部２２０のＸ、−Ｘ方向への所定以上の移動を規制し且つ弾性変形部３００のＸ、−Ｘ方向への所定以上の弾性変形を規制する。
【０１４３】
また、ベース板１１０の中間部の長さ方向の両端部には矩形状の孔１１３及び切り上げ片１１４が設けられている。切り上げ片１１４は接続部２００の孔部２４１を通じて移動規制アーム１３０の支持部１３２の下段部を支持し、当該支持部１３２の下方への沈み込みを防止している。
【０１４４】
移動規制板１２０は実施例１の移動規制板１２０ａと略同じである。従って、説明は省略する。
【０１４５】
また、移動規制アーム１３０は、移動規制板１２０の中間部がカットされ且つ−Ｙ方向に向けて折り返された板状体であって、ベース板１１０のＹ方向側の端部に連続し且つ−Ｙ方向側に向けて略Ｃ字状に湾曲した湾曲部１３１と、この湾曲部１３１の先端に連続し且つ接続部２００の連結板２３０及び当接板２４０上に配置される一段の階段形状の支持板１３２とを有する。
【０１４６】
湾曲部１３１の基端部は、接続部２００の当接板２４０の先端に隙間を空けて対向配置される。即ち、湾曲部１３１の基端部は、冷陰極蛍光ランプ２０が熱膨張することによりＹ方向に移動する接続部２００の当接板２４０に当接されるようになっている。これにより、湾曲部１３１の基端部が当接板２４０のＹ方向への所定以上の移動を規制し且つ弾性変形部３００のＹ方向への所定以上の弾性変形を規制する。
【０１４７】
支持板１３２の上段部がアダプタ３０の円筒状部３１を支持するようになっている。
【０１４８】
各弾性変形部３００は、図１０（ｂ）に示すように、平面視略Ｓ字状の板状体であって、折返部１５０のＸ、−Ｘ方向側の端部に連結された−Ｙ方向側の端部である一端部３１０と、略Ｌ字状に折り曲げられ且つ接続部２００のクランプ部２２０の基端部の−Ｙ方向側の端部に連続するＹ方向側の端部である他端部３２０とを有する。
【０１４９】
この弾性変形部３００は、接続部２００のＹ方向への移動に応じて、一端部３１０と他端部３２０の折曲部とが互いに離れる方向（即ち、Ｙ方向）に弾性変形可能になっている。弾性変形部３００は、接続部２００の−Ｙ方向への移動に応じて、一端部３１０と他端部３２０の折曲部とが互いに近づく方向（即ち、−Ｙ方向）に弾性変形可能になっている。
【０１５０】
また、弾性変形部３００は、接続部２００のＸ方向への移動に応じて、他端部３２０の折曲部が一端部３１０に対してＸ方向に位置ずれするように弾性変形可能になっている。弾性変形部３００は、接続部２００の−Ｘ方向への移動に応じて、他端部３２０の折曲部が一端部３１０に対して−Ｘ方向に位置ずれするように弾性変形可能になっている。
【０１５１】
上述した構成のコンタクトには冷陰極蛍光ランプ２０に接続されたアダプタ３０が次のように接続される。
【０１５２】
まず、アダプタ３０の接続片３２及び冷陰極蛍光ランプ２０のリード端子２２を移動規制板１２０のスリット１２１に挿入すると共に、当該アダプタ３０の円筒状部３１及び冷陰極蛍光ランプ２０のランプ本体部２１の端部を接続部２００の一対のクランプ部２２０の傾斜部２２２の間に挿入する。すると、アダプタ３０の円筒状部３１の外周面が一対のクランプ部２２０の当接部２２１の頂部を各々押圧する。これにより、一対の当接部２２１が外側に変位し、一対のクランプ部２２０の基端部が外側に弾性変形する。円筒状部３１が一対の当接部２２１の頂部を乗り越えると、当該当接部２２１が内側に変位し、一対のクランプ部２２０の基端部が復元する。これにより、一対の当接部２２１が円筒状部３１に弾性的に当接し、ベース部１００の移動規制アーム１３０の支持板１３２の上段部との間で当該円筒状部３１を挟持する。
【０１５３】
以下、このように前記コンタクトにアダプタ３０を介して接続された冷陰極蛍光ランプ２０が熱膨張又は熱収縮した場合の当該コンタクトの動作について説明する。
【０１５４】
冷陰極蛍光ランプ２０が熱膨張し、アダプタ３０及び接続部２００がＹ方向に移動すると、一対の弾性変形部３００の一端部３１０と他端部３２０の折曲部とが互いに離れる方向に各々弾性変形する。このように弾性変形部３００がＹ方向に弾性変形することにより、冷陰極蛍光ランプ２０の所定以内の熱膨張が吸収される。
【０１５５】
その後、冷陰極蛍光ランプ２０が更に熱膨張し、アダプタ３０及び接続部２００が更にＹ方向に移動すると、接続部２００の当接板２４０の先端が移動規制アーム１３０の湾曲部１３１の基端部に当接する。これにより、接続部２００及びアダプタ３０のＹ方向への所定以上の移動が規制されると共に、弾性変形部３００のＹ方向への所定以上の弾性変形が規制される。この規制により、冷陰極蛍光ランプ２０のＹ方向への所定以上の熱膨張が抑止される。
【０１５６】
このとき、アダプタ３０のＹ方向側の端部が移動規制板１２０の２枚の規制板１２２の内側部分に各々当接する。これによっても、冷陰極蛍光ランプ２０のＹ方向への所定以上の熱膨張が抑止される。
【０１５７】
冷陰極蛍光ランプ２０が熱収縮し、アダプタ３０及び接続部２００が−Ｙ方向に移動すると、一対の弾性変形部３００の一端部３１０と他端部３２０の折曲部とが互いに近づく方向に各々弾性変形する。このように弾性変形部３００が−Ｙ方向に弾性変形することにより、冷陰極蛍光ランプ２０の熱収縮が吸収される。
【０１５８】
冷陰極蛍光ランプ２０が熱膨張又は熱収縮し、接続部２００がＸ方向に移動すると、一対の弾性変形部３００の他端部３２０の折曲部が一端部３１０に対してＸ方向に位置ずれするように各々弾性変形する。このように弾性変形部３００がＸ方向に弾性変形することにより、冷陰極蛍光ランプ２０の所定以内の熱収縮又は熱収縮が吸収される。
【０１５９】
その後、冷陰極蛍光ランプ２０が更に熱膨張又は熱収縮し、アダプタ３０及び接続部２００が更にＸ方向に移動すると、接続部２００のＸ方向側のクランプ部２２０の基端部がベース部１００の位置規制片１１１に当接する。これにより、接続部２００及びアダプタ３０のＸ方向への所定以上の移動が規制されると共に、弾性変形部３００のＸ方向への所定以上の弾性変形が規制される。この規制により、冷陰極蛍光ランプ２０のＸ方向への所定以上の熱膨張又は熱収縮が抑止される。
【０１６０】
冷陰極蛍光ランプ２０が熱膨張又は熱収縮し、接続部２００が−Ｘ方向に移動すると、一対の弾性変形部３００の他端部３２０の折曲部が一端部３１０に対して−Ｘ方向に位置ずれするように各々弾性変形する。このように弾性変形部３００が−Ｘ方向に弾性変形することにより、冷陰極蛍光ランプ２０の所定以内の熱収縮又は熱収縮が吸収される。
【０１６１】
その後、冷陰極蛍光ランプ２０が更に熱膨張又は熱収縮し、アダプタ３０及び接続部２００が更に−Ｘ方向に移動すると、接続部２００の−Ｘ方向側のクランプ部２２０の基端部がベース部１００の位置規制片１１２に当接する。これにより、接続部２００及びアダプタ３０の−Ｘ方向への所定以上の移動が規制されると共に、弾性変形部３００の−Ｘ方向への所定以上の弾性変形が規制される。この規制により、冷陰極蛍光ランプ２０の−Ｘ方向への所定以上の熱膨張又は熱収縮が抑止される。
【０１６２】
冷陰極蛍光ランプ２０が熱膨張し、接続部２００が“Ｙ及びＸ方向の組み合わせ方向”又は“Ｙ及び−Ｘ方向の組み合わせ方向”に移動したときは、上述した各方向におけるコンタクトの各部の動作が同時に起こる。また、冷陰極蛍光ランプ２０が熱収縮し、接続部２００が“−Ｙ及びＸ方向の組み合わせ方向”又は“−Ｙ及び−Ｘ方向の組み合わせ方向”に移動したときも同様である。
【０１６３】
このようなコンタクトによる場合、冷陰極蛍光ランプ２０の熱膨張又は熱収縮に応じて一対の弾性変形部３００が各々弾性変形し、当該熱膨張又は熱収縮を吸収することができる。よって、冷陰極蛍光ランプ２０が熱膨張又は熱収縮することにより、従来例のごとくアダプタ３０が接続部２００の一対のクランプ部２２０内を移動し当該アダプタ３０とクランプ部２２０との接続が不安定になったり、冷陰極蛍光ランプ２０に負荷が掛かったりするのを抑止することができる。
【０１６４】
また、接続部２００の当接板２４０の先端が移動規制アーム１３０の湾曲部１３１の基端部に当接することにより、接続部２００及びアダプタ３０のＹ方向への所定以上の移動及び弾性変形部３００の同方向への所定以上の弾性変形を各々規制することができる。
また、接続部２００の一対のクランプ部２２０の基端部がベース部１００の位置規制片１１１、１１２に当接することにより、接続部２００及びアダプタ３０のＸ、−Ｘ方向への所定以上の移動及び弾性変形部３００の同方向への所定以上の弾性変形を各々規制することができる。この規制の結果、冷陰極蛍光ランプ２０がＹ、Ｘ及び−Ｘ方向に所定以上の熱膨張及び熱収縮するのを抑止することができる。また、アダプタ３０のＹ方向側の端部が移動規制板１２０の２枚の規制板１２２の内側部分に各々当接することによっても、アダプタ３０及び冷陰極蛍光ランプ２０のＹ方向への所定以上の熱膨張を抑止することができる。従って、冷陰極蛍光ランプ２０が所定以上熱膨張又は熱収縮することにより、前記コンタクトが搭載される電子機器の他の部品に衝突する等の不具合を抑止することができる。
【実施例５】
【０１６５】
次に、本発明の実施例５に係るコンタクトについて下記の図面を参照しつつ説明する。図１２が本発明の実施例５の形態に係るコンタクトを示す概略図であって、（ａ）が正面上方から見た斜視図、（ｂ）が正面下方から見た斜視図、図１３が同コンタクトを示す概略図であって、（ａ）が正面図、（ｂ）が平面図、（ｃ）が底面図、（ｄ）が右側面図、（ｅ）が左側面図、（ｆ）が本図中のＡ−Ａ断面図、図１４は同コンタクトが基板上に実装され且つ冷陰極蛍光ランプ及びアダプタが接続された状態を示す概略図であって、（ａ）が正面図、（ｂ）が平面図、（ｃ）が右側面図、（ｄ）が左側面図、（ｅ）が斜視図である。
【０１６６】
図１２、図１３及び図１４に示すコンタクトは、導電性を有する金属板がプレス成型されたものであって、基板１０上に半田接続（電気的且つ機械的に接続）される第１、第２のベース部１００ａ、１００ｂと、この第１、第２のベース部１００ａ、１００ｂに取り付けられる移動規制部１００ｃ（第１、第２の移動規制手段）と、冷陰極蛍光ランプ２０にアダプタ３０を介して電気的且つ機械的に接続される接続部２００と、第１のベース部１００ａと接続部２００との間に各々設けられ且つ冷陰極蛍光ランプ２０の長さ方向に沿うＹ方向（第１の方向）、−Ｙ方向（第２の方向）、Ｘ方向（第３の方向）及び−Ｘ方向（第４の方向）に弾性変形可能な第１の弾性変形部３００ａと、第２のベース部１００ｂと接続部２００との間に各々設けられ且つ冷陰極蛍光ランプ２０の長さ方向に沿うＹ方向（第１の方向）、−Ｙ方向（第２の方向）、Ｘ方向（第３の方向）及び−Ｘ方向（第４の方向）に弾性変形可能な第２の弾性変形部３００ｂとを備えている。以下、各部について詳しく説明する。
【０１６７】
第１のベース部１００ａは、接続部２００のＹ方向側に隙間を空けて配置される板状体であって、底面視略凸字状の第１のベース板１１０ａと、この第１のベース板１１０ａのＹ方向の端部に連続し且つ当該第１のベース板１１０ａに対し略直角に折り曲げられた移動規制板１２０ａ（第３の移動規制手段）とを有する。
【０１６８】
第１のベース板１１０ａの中央部にはカシメ片が設けられている。
【０１６９】
移動規制板１２０ａは略Ｕ字状の板体であって、その上端部中央にスリット１２１ａが開設されている。このスリット１２１ａには、冷陰極蛍光ランプ２０及びアダプタ３０を接続部２００に接続する際に、冷陰極蛍光ランプ２０のリード端子２２及びアダプタ３０の接続片３２が挿入される。
【０１７０】
移動規制板１２０ａのスリット１２１ａの両縁部は、接続部２００に接続された円筒状部３１のＹ方向側の端面及び冷陰極蛍光ランプ２０のランプ本体部２１のＹ方向側の端面に隙間を空けて対向配置される。即ち、前記両縁部は、冷陰極蛍光ランプ２０が熱膨張することによりＹ方向に移動する円筒状部３１のＹ方向側の端面に当接されるようになっている。これにより、移動規制板１２０ａが冷陰極蛍光ランプ２０のＹ方向への所定以上の熱膨張を規制する。
【０１７１】
第２のベース部１００ｂは略矩形状の板状体であって、その中央部にはカシメ片が設けられている。
【０１７２】
移動規制部１００ｃは平面視略凸字状の板状体であって、Ｙ方向側の端部の中央部及び−Ｙ方向側の端部の凸部にカシメ孔が各々設けられている。即ち、移動規制部１００ｃの両カシメ孔に第１のベース部１００ａの第１のベース板１１０ａのカシメ片及び第２のベース部１００ｂのカシメ片が各々カシメられることにより、移動規制部１００ｃが第１、第２のベース部１００ａ、１００ｂに取り付けられる。
【０１７３】
この移動規制部１００ｃは、図１２（ａ）、図１３（ｂ）及び図１３（ｃ）に示すように、Ｘ方向側、−Ｘ方向側の端部の２箇所に設けられた一対の脚部１１１ｃ、１１２ｃと、この一対の脚部１１１ｃ、１１２ｃの間に設けられた略矩形状の一対の規制孔１２０ｃと、この規制孔１２０ｃの間に突設され且つアダプタ３０の円筒状部３１を支持可能な略半円弧状の支持部１３０ｃとを有している。
【０１７４】
各脚部１１１ｃ、１１２ｃは、前記Ｘ方向側、Ｙ方向側の端部の２箇所が各々カットされ下方に向けて折り曲げられた片部材であって、基板１０の接点パターン１１に半田接続される。
【０１７５】
各規制孔１２０ｃには、接続部２００のクランプ部２２０が隙間を空けて挿入される。具体的には、移動規制部１００ｃの規制孔１２０ｃのＹ、−Ｙ方向側の縁部がクランプ部２２０のＹ方向側の端部に隙間を空けて各々対向配置され且つ冷陰極蛍光ランプ２０が熱膨張することによりＹ、−Ｙ方向に移動するクランプ部２２０のＹ、−Ｙ方向側の端部が各々当接可能になっている。これにより、移動規制部１００ｃがクランプ部２２０のＹ、−Ｙ方向への所定以上の移動を各々規制し且つ第１、第２の弾性変形部３００ａ、３００ｂのＹ、−Ｙ方向への所定以上の弾性変形を各々規制する。
【０１７６】
同様に、移動規制部１００ｃの規制孔１２０ｃのＸ、−Ｘ方向側の縁部がクランプ部２２０のＸ、−Ｘ方向側の端部に隙間を空けて各々対向配置され且つ冷陰極蛍光ランプ２０が熱膨張することによりＸ、−Ｘ方向に移動するクランプ部２２０のＹ方向側の端部が当接可能になっている。これにより、移動規制部１００ｃがクランプ部２２０のＸ、−Ｘ方向への所定以上の移動を各々規制し且つ第１、第２の弾性変形部３００ａ、３００ｂのＸ、−Ｘ方向への所定以上の弾性変形を各々規制する。
【０１７７】
接続部２００は、図１２（ａ）、図１２（ｂ）、図１３（ｂ）及び図１３（       ｅ）に示すように、断面視略Ｕ字状の板状体であって、基板１０上に載置される略矩形状の連結板２３０と、この連結板２３０のＸ、−Ｘ方向（即ち、幅方向）側の両端部に連続して設けられており且つ連結板２３０に対して略直角に折り曲げられた一対のクランプ部２２０とを有している。
【０１７８】
連結板２３０には、図１２（ｂ）及び図１３（ｆ）に示すように、下方に凸の突脈２３１が設けられている。この突脈２３１が基板１０上を摺動することにより、基板１０との接触面積を低減しつつ、連結板２３０の当該基板１０上における移動を安定させるようになっている。
【０１７９】
一対のクランプ部２２０は、移動規制部１００ｃの支持部１３０ｃとの間でアダプタ３０の円筒状部３１を挟持するようになっている以外、実施例１のクランプ部２２０と略同じである。よって、説明は省略する。
【０１８０】
第１の弾性変形部３００ａは、図１３（ｃ）に示すように、底面視略Ｓ字状の板状体であって、第１のベース板１１０ａの凸部に連結されたＹ方向側の端部である一端部３１０ａと、接続部２００の連結板２３０のＹ方向側の端部に連結された−Ｙ方向側の端部である他端部３２０ａとを有する。
【０１８１】
第１の弾性変形部３００ａは、接続部２００のＹ方向への移動に応じて、一端部３１０ａと他端部３２０ａとが互いに近づく方向（即ち、Ｙ方向）に弾性変形可能になっている。第１の弾性変形部３００ａは、接続部２００の−Ｙ方向への移動に応じて、一端部３１０ａと他端部３２０ａとが互いに離れる方向（即ち、−Ｙ方向）に弾性変形可能になっている。
【０１８２】
また、第１の弾性変形部３００ａは、接続部２００のＸ方向への移動に応じて、他端部３２０ａが一端部３１０ａに対してＸ方向に位置ずれするように弾性変形可能になっている。第１の弾性変形部３００ａは、接続部２００の−Ｘ方向への移動に応じて、他端部３２０ａが一端部３１０ａに対して−Ｘ方向に位置ずれするように弾性変形可能になっている。
【０１８３】
第２の弾性変形部３００ｂは、図１３（ｃ）に示すように、底面視略Ｓ字状の板状体であって、第２のベース板１１０ｂのＹ方向側の端部に連結された−Ｙ方向側の端部である一端部３１０ｂと、接続部２００の連結板２３０の−Ｙ方向側の端部に連結されたＹ方向側の端部である他端部３２０ｂとを有する。
【０１８４】
第２の弾性変形部３００ｂは、接続部２００のＹ方向への移動に応じて、一端部３１０ｂと他端部３２０ｂとが互いに離れる方向（即ち、Ｙ方向）に弾性変形可能になっている。第２の弾性変形部３００ｂは、接続部２００の−Ｙ方向への移動に応じて、一端部３１０ｂと他端部３２０ｂとが互いに近づく方向（即ち、−Ｙ方向）に弾性変形可能になっている。
【０１８５】
また、第２の弾性変形部３００ｂは、接続部２００のＸ方向への移動に応じて、他端部３２０ｂが一端部３１０ｂに対してＸ方向に位置ずれするように弾性変形可能になっている。第２の弾性変形部３００ｂは、接続部２００の−Ｘ方向への移動に応じて、他端部３２０ｂが一端部３１０ｂに対して−Ｘ方向に位置ずれするように弾性変形可能になっている。
【０１８６】
上述した構成のコンタクトには冷陰極蛍光ランプ２０に接続されたアダプタ３０が次のように接続される。
【０１８７】
まず、アダプタ３０の接続片３２及び冷陰極蛍光ランプ２０のリード端子２２を移動規制板１２０ａのスリット１２１ａに挿入すると共に、当該アダプタ３０の円筒状部３１及び冷陰極蛍光ランプ２０のランプ本体部２１の端部を接続部２００の一対のクランプ部２２０の傾斜部２２２の間に挿入する。すると、アダプタ３０の円筒状部３１の外周面が一対のクランプ部２２０の当接部２２１の頂部を各々押圧する。これにより、一対の当接部２２１が外側に変位し、一対のクランプ部２２０の基端部が外側に弾性変形する。円筒状部３１が一対の当接部２２１の頂部を乗り越えると、当該当接部２２１が内側に変位し、一対のクランプ部２２０の基端部が復元する。これにより、一対の当接部２２１が円筒状部３１に弾性的に当接し、移動規制部１００ｃの支持部１３０ｃとの間で当該円筒状部３１を挟持する。
【０１８８】
以下、このように前記コンタクトにアダプタ３０を介して接続された冷陰極蛍光ランプ２０が熱膨張又は熱収縮した場合の当該コンタクトの動作について説明する。
【０１８９】
冷陰極蛍光ランプ２０が熱膨張し、アダプタ３０及び接続部２００がＹ方向に移動すると、第１の弾性変形部３００ａの一端部３１０ａと他端部３２０ａとが互いに近づく方向に弾性変形すると共に、第２の弾性変形部３００ｂの一端部３１０ｂと他端部３２０ｂとが互いに離れる方向に弾性変形する。このように第１、第２の弾性変形部３００ａ、３００ｂがＹ方向に弾性変形することにより、冷陰極蛍光ランプ２０の所定以内の熱膨張が吸収される。
【０１９０】
このとき、接続部２００の一対のクランプ部２２０が移動規制部１００ｃの一対の規制孔１２０ｃ内をＹ方向に移動する。
【０１９１】
その後、冷陰極蛍光ランプ２０が更に熱膨張し、アダプタ３０及び接続部２００が更にＹ方向に移動すると、接続部２００の一対のクランプ部２２０のＹ方向側の端部が移動規制部１００ｃの一対の規制孔１２０ｃのＹ方向側の縁部に当接する。これにより、接続部２００及びアダプタ３０のＹ方向への所定以上の移動が規制されると共に、第１、第２の弾性変形部３００ａ、３００ｂのＹ方向への所定以上の弾性変形が規制される。この規制により、冷陰極蛍光ランプ２０のＹ方向への所定以上の熱膨張が抑止される。
【０１９２】
このとき、アダプタ３０のＹ方向側の端部が第１のベース部１００ａの移動規制板１２０ａのスリット１２１ａの両縁部に各々当接する。これによっても、冷陰極蛍光ランプ２０のＹ方向への所定以上の熱膨張が抑止される。
【０１９３】
冷陰極蛍光ランプ２０が熱収縮し、アダプタ３０及び接続部２００が−Ｙ方向に移動すると、第１の弾性変形部３００ａの一端部３１０ａと他端部３２０ａとが互いに離れる方向に弾性変形すると共に、第２の弾性変形部３００ｂの一端部３１０ｂと他端部３２０ｂとが互いに近づく方向に弾性変形する。このように第１、第２の弾性変形部３００ａ、３００ｂが−Ｙ方向に弾性変形することにより、冷陰極蛍光ランプ２０の所定以内の熱収縮が吸収される。
【０１９４】
このとき、接続部２００の一対のクランプ部２２０が移動規制部１００ｃの一対の規制孔１２０ｃ内を−Ｙ方向に移動する。
【０１９５】
その後、冷陰極蛍光ランプ２０が更に熱収縮し、アダプタ３０及び接続部２００が更に−Ｙ方向に移動すると、接続部２００の一対のクランプ部２２０の−Ｙ方向側の端部が移動規制部１００ｃの一対の規制孔１２０ｃの−Ｙ方向側の縁部に各々当接する。これにより、接続部２００及びアダプタ３０の−Ｙ方向への所定以上の移動が規制されると共に、第１、第２の弾性変形部３００ａ、３００ｂの−Ｙ方向への所定以上の弾性変形が規制される。この規制により、冷陰極蛍光ランプ２０の−Ｙ方向への所定以上の熱収縮が抑止される。
【０１９６】
冷陰極蛍光ランプ２０が熱膨張又は熱収縮し、接続部２００がＸ方向に移動すると、第１の弾性変形部３００ａの他端部３２０ａが一端部３１０ａに対してＸ方向に位置ずれするように弾性変形すると共に、第２の弾性変形部３００ｂの他端部３２０ｂが一端部３１０ｂに対してＸ方向に位置ずれするように弾性変形する。このように第１、第２の弾性変形部３００ａ、３００ｂがＸ方向に弾性変形することにより、冷陰極蛍光ランプ２０の所定以内の熱収縮又は熱収縮が吸収される。
【０１９７】
このとき、接続部２００の一対のクランプ部２２０が移動規制部１００ｃの一対の規制孔１２０ｃ内をＸ方向に移動する。
【０１９８】
その後、冷陰極蛍光ランプ２０が更に熱膨張又は熱収縮し、アダプタ３０及び接続部２００が更にＸ方向に移動すると、接続部２００の一対のクランプ部２２０のＸ方向側の端部が移動規制部１００ｃの一対の規制孔１２０ｃのＸ方向側の縁部に各々当接する。これにより、接続部２００及びアダプタ３０のＸ方向への所定以上の移動が規制されると共に、第１、第２の弾性変形部３００ａ、３００ｂのＸ方向への所定以上の弾性変形が規制される。この規制により、冷陰極蛍光ランプ２０のＸ方向への所定以上の熱膨張又は熱収縮が抑止される。
【０１９９】
冷陰極蛍光ランプ２０が熱膨張又は熱収縮し、接続部２００が−Ｘ方向に移動すると、第１の弾性変形部３００ａの他端部３２０ａが一端部３１０ａに対して−Ｘ方向に位置ずれするように弾性変形すると共に、第２の弾性変形部３００ｂの他端部３２０ｂが一端部３１０ｂに対して−Ｘ方向に位置ずれするように弾性変形する。このように第１、第２の弾性変形部３００ａ、３００ｂが−Ｘ方向に弾性変形することにより、冷陰極蛍光ランプ２０の所定以内の熱収縮又は熱収縮が吸収される。
【０２００】
このとき、接続部２００の一対のクランプ部２２０が移動規制部１００ｃの一対の規制孔１２０ｃ内を−Ｘ方向に移動する。
【０２０１】
その後、冷陰極蛍光ランプ２０が更に熱膨張又は熱収縮し、アダプタ３０及び接続部２００が更に−Ｘ方向に移動すると、接続部２００の一対のクランプ部２２０のＸ方向側の端部が移動規制部１００ｃの一対の規制孔１２０ｃの−Ｘ方向側の縁部に各々当接する。これにより、接続部２００及びアダプタ３０の−Ｘ方向への所定以上の移動が規制されると共に、第１、第２の弾性変形部３００ａ、３００ｂの−Ｘ方向への所定以上の弾性変形が規制される。この規制により、冷陰極蛍光ランプ２０の−Ｘ方向への所定以上の熱膨張又は熱収縮が抑止される。
【０２０２】
冷陰極蛍光ランプ２０が熱膨張し、接続部２００が“Ｙ及びＸ方向の組み合わせ方向”又は“Ｙ及び−Ｘ方向の組み合わせ方向”に移動したときは、上述した各方向におけるコンタクトの各部の動作が同時に起こる。また、冷陰極蛍光ランプ２０が熱収縮し、接続部２００が“−Ｙ及びＸ方向の組み合わせ方向”又は“−Ｙ及び−Ｘ方向の組み合わせ方向”に移動したときも同様である。
【０２０３】
このようなコンタクトによる場合、冷陰極蛍光ランプ２０の熱膨張又は熱収縮に応じて第１、第２の弾性変形部３００ａ、３００ｂが各々弾性変形し、当該熱膨張又は熱収縮を吸収することができる。よって、冷陰極蛍光ランプ２０が熱膨張又は熱収縮することにより、従来例のごとくアダプタ３０が接続部２００の一対のクランプ部２２０内を移動し当該アダプタ３０とクランプ部２２０との接続が不安定になったり、冷陰極蛍光ランプ２０に負荷が掛かったりするのを抑止することができる。
【０２０４】
また、接続部２００の一対のクランプ部２２０が移動規制部１００ｃの一対の規制孔１２０ｃのＹ、−Ｙ、Ｘ及び−Ｘ方向の縁部に各々当接することにより、接続部２００のＹ、−Ｙ、Ｘ及び−Ｘ方向への所定以上の移動及び第１、第２の弾性変形部３００ａ、３００ｂの同方向への所定以上の弾性変形を各々規制することができる。この規制の結果、冷陰極蛍光ランプ２０がＹ、−Ｙ、Ｘ及び−Ｘ方向に所定以上の熱膨張及び熱収縮するのを抑止することができる。また、アダプタ３０のＹ方向側の端部が第１のベース部１００ａの移動規制板１２０ａのスリット１２１ａの両縁部に各々当接することによっても、冷陰極蛍光ランプ２０のＹ方向への所定以上の熱膨張を抑止することができる。よって、冷陰極蛍光ランプ２０が所定以上熱膨張又は熱収縮することにより、前記コンタクトが搭載される電子機器の他の部品に衝突する等の不具合を防止することができる。
【０２０５】
なお、上記実施例１乃至５に係るコンタクトについては、特許請求の範囲の趣旨に適う限り任意に設計変更することが可能である。以下、詳しく述べる。
【０２０６】
上記ベース部については、基板上に電気的且つ機械的に接続され得るものである限り任意に設計変更することが可能である。
【０２０７】
上記接続部については、アダプタ３０を介して冷陰極蛍光ランプ２０がコンタクトに接続されるとしたが、これに限定されるものではなく、冷陰極蛍光ランプ２０のリード端子２２が直接接続されるようになっても良い。即ち、前記接続部は、冷陰極蛍光ランプ等の電子部品のリード端子又はアダプタに電気的且つ機械的に接続され得る限り任意に設計変更することが可能である。例えば、上記クランプ部２２０に代えて、リード端子又はアダプタが半田や溶接される接続台等を設けるようにしても構わない。
【０２０８】
また、実施例４及び５の如く、前記接続部の基板対向面又はベース部対向面に突起２３１や突脈２３１を設け、基板又はベース部との接触面積を低減しつつ、前記接続部の基板又はベース部上における移動を安定させることが可能である。
【０２０９】
実施例１においては、第１、第２のベース部１１０ａ、１１０ｂに上記貫通孔を設け、当該貫通孔に半田を流し込むことにより、第１、第２のベース部１１０ａ、１１０ｂと基板１０との機械的な接続強度を向上させるとしたが、他の実施例においても、基板１０の接点パターン１１との半田接続部位に前記貫通孔を設け、同様に基板１０との機械的な接続強度を向上させることができる。
【０２１０】
アダプタ３００を支持する支持手段としては、支持部２１０、支持アーム１４０ａ、支持板１２３ｂ、支持板１３２、支持部１３０ｃに限定されるものではない。即ち、前記支持手段については、ベース部又は接続部は電子部品のリード端子を支持し得るものである限りどのような構成のものを用いても構わない。
【０２１１】
クランプ部２２０については、電子部品のリード端子又はアダプタを挟持し得るものである限り任意に設計変更することが可能である。なお、当然、クランプ部のみで電子部品のリード端子又はアダプタを挟持可能なものであっても良い。また、クランプ部の内面を凸凹面とすることも可能である。この場合、クランプ部の凸凹面が、当該クランプ部内を電子部品の熱膨張及び熱収縮のいずれか一方に応じてリード端子又はアダプタが摺動するのを防止することができる。
【０２１２】
上記弾性変形部については、ベース部と接続部との間に設けられ且つ電子部品の長さ方向に沿う第１の方向及びこの第１の方向の反対側の第２の方向の少なくとも一方に弾性変形可能である限り任意に設計変更することが可能である。
【０２１３】
上記実施例における接続部２２０のＹ、−Ｙ方向側への移動を規制する第１の移動規制手段としては、移動規制アーム１３０ａ、移動規制アーム１３０、移動規制アーム１２０ｂ、移動規制部１００ｃであるとしたが、これに限定されるものではない。
【０２１４】
換言すると、前記第１の移動規制手段としては、接続部の第１の方向側及び第２の方向側の少なくとも一方側に当該接続部と隙間を空けて配置され且つ電子部品の熱膨張及び熱収縮のいずれか一方に応じて接続部の一部が当接するものである限りどのようなものを用いても構わない。
【０２１５】
例えば、実施例１のコンタクトについては、移動規制アーム１３０ａと、移動規制アーム１２０ｂとを有するとしたが、いずれか一方を有する構成とすることができる。また、移動規制アーム１３０ａの規制部１３２ａの先端部から切欠き１３２ａ１を除去し、当該先端部を支持片２１２の基端部にＹ方向側に隙間を空けて対向配置させ且つ電子部品の熱膨張に応じて支持片２１２が前記先端部に当接する構成とすることができる。また、移動規制アーム１２０ｂを接続部のＹ方向側への移動規制手段とし、移動規制アーム１３０ａを接続部の−Ｙ方向側への移動規制手段とすることもできる。更に、移動規制アーム１３０ａ、１２０ｂに代えて、移動規制アーム１３０を用い、接続部２００の板状部２１１に当接板２４０を設けるようにしても良い。
【０２１６】
また、実施例２、３のコンタクトについては、支持アーム１４０ａの湾曲部１４１ａに代えて、移動規制アーム１２０ｂの湾曲部１２１ｂを用いる構成とすることができる。この場合、湾曲部１２１ｂの−Ｙ方向側の端部の両端がクランプ部２２０のＹ方向側の端部に隙間を有して対向配置され且つクランプ部２２０のＹ方向への移動により当該クランプ部に当接されることから、クランプ部２２０のＹ方向側の移動を規制することができる。また、支持アーム１４０ａ、移動規制アーム１２０ｂに代えて、移動規制アーム１３０を用い、接続部２００の板状部２１１に当接板２４０を設けるようにしても良い。
【０２１７】
上述のように、移動規制アーム１３０ａ、移動規制アーム１２０ｂ、移動規制アーム１３０については任意に組み合わせて用いることが可能である。
【０２１８】
なお、前記第１の移動規制手段は省略することが可能である。
【０２１９】
上記実施例における接続部２２０のＸ、−Ｘ方向側への移動を規制する第２の移動規制手段としては、移動規制アーム１３０ａ、移動規制片１１１、１１２、移動規制部１００ｃであるとしたが、これに限定されるものではない。
【０２２０】
換言すると、前記第２の移動規制手段としては、接続部の第３の方向側及び第４の方向側の少なくとも一方側に当該接続部と隙間を空けて配置され且つ電子部品の熱膨張及び熱収縮のいずれか一方に応じて接続部が当接するものである限りどのような構成のものであっても構わない。
【０２２１】
例えば、実施例１の移動規制アーム１３０ａの切欠き１３２ａ１のＸ、−Ｘ方向側の縁部をカットし、接続部の第３の方向側及び第４の方向側の少なくとも一方への移動のみを規制するように設計変更こうすることも可能である。また、実施例４に移動規制片１１１、１１２のうち、一方を除去することも可能である。
【０２２２】
なお、前記第２の移動規制手段は省略することが可能である。
【０２２３】
規制孔１２０ｃについては、ベース部に設けられ且つ接続部がその第１の方向側及び第２の方向側の少なくとも一方側に隙間を空けて挿入され得るもの又はベース部に設けられ且つ接続部がその第３の方向側及び第４の方向側の少なくとも一方側に隙間を空けて挿入され得るものである限り任意に設計変更することが可能である。規制孔１２０ｃの形状については、挿入される接続部の形状に併せて任意に可変可能である。
【０２２４】
移動規制板１２０ａ、１２０については、接続部に接続された電子部品の本体部の前記端面と隙間を空けて対向配置される当止部と、この当止部に設けられリード端子が挿入可能なスリットとを有し、当止部のスリットの縁部に電子部品の熱膨張及び熱収縮のいずれか一方に応じて電子部品の本体部の前記端面が当接するようになっている限り任意に設計変更することが可能である。従って、前記位置規制板は板状体以外の形状のものを用いることが可能である。なお、移動規制板１２０ａ、１２０も省略可能である。
【０２２５】
上記実施例においては、冷陰極蛍光ランプ２０を例に挙げて説明したが、電子部品は冷陰極蛍光ランプ２０に限定されるものではない。即ち、上記コンタクトは、本体部とこの本体部に設けられたリード端子とを有し、熱膨張又は熱収縮可能な電子部品に適応可能である。例えば、電子部品として熱陰極管蛍光ランプ等を用いることも可能である。この場合、上記コンタクトは、熱陰極管蛍光ランプの二本のリード端子に各々電気的且つ機械的に接続可能な二つの接続部を備える構成とすれば良い。
【０２２６】
アダプタ３０については、電子部品の端部が挿入される筒状部と、この筒状部に設けられ且つ電子部品のリード端子に接続可能な接続部を有するものである限りどのようなものであっても良い。基板１０についても上記実施例と同様の機能を奏するものである限りどのようなものであっても良い。
【図面の簡単な説明】
【０２２７】
【図１】本発明の実施例１の形態に係るコンタクトを示す概略図であって、（ａ）が正面上方から見た斜視図、（ｂ）が正面下方から見た斜視図である。
【図２】同コンタクトを示す概略図であって、（ａ）が正面図、（ｂ）が平面図、（ｃ）が底面図、（ｄ）が側面図である。
【図３】同コンタクトを示す概略図であって、（ａ）が図２中のＡ−Ａ断面図、（ｂ）が図２中のＢ−Ｂ断面図である。
【図４】同コンタクトが基板上に実装され且つ冷陰極蛍光ランプ及びアダプタが接続された状態を示す概略図であって、（ａ）が斜視図、（ｂ）が平面図である。
【図５】本発明の実施例２の形態に係るコンタクトを示す概略図であって、（ａ）が正面上方から見た斜視図、（ｂ）が正面下方から見た斜視図である。
【図６】同コンタクトを示す概略図であって、（ａ）が正面図、（ｂ）が平面図、（ｃ）が底面図、（ｄ）が右側面図、（ｅ）が左側面図である。
【図７】本発明の実施例３の形態に係るコンタクトを示す概略図であって、（ａ）が正面上方から見た斜視図、（ｂ）が正面下方から見た斜視図である。
【図８】同コンタクトを示す概略図であって、（ａ）が正面図、（ｂ）が平面図、（ｃ）が底面図、（ｄ）が右側面図、（ｅ）が左側面図である。
【図９】本発明の実施例４の形態に係るコンタクトを示す概略図であって、（ａ）が正面上方から見た斜視図、（ｂ）が正面下方から見た斜視図である。
【図１０】同コンタクトを示す概略図であって、（ａ）が正面図、（ｂ）が平面図、（ｃ）が底面図、（ｄ）が右側面図、（ｅ）が左側面図、（ｆ）が本図中のＡ−Ａ断面図、（ｇ）が本図中のＢ−Ｂ断面図、（ｈ）が本図中のＣ−Ｃ断面図である。
【図１１】同コンタクトが基板上に実装され且つ冷陰極蛍光ランプ及びアダプタが接続された状態を示す概略図であって、（ａ）が正面図、（ｂ）が平面図、（ｃ）が右側面図、（ｄ）が左側面図、（ｅ）が斜視図である。
【図１２】本発明の実施例５の形態に係るコンタクトを示す概略図であって、（ａ）が正面上方から見た斜視図、（ｂ）が正面下方から見た斜視図である。
【図１３】同コンタクトを示す概略図であって、（ａ）が正面図、（ｂ）が平面図、（ｃ）が底面図、（ｄ）が右側面図、（ｅ）が左側面図、（ｆ）が本図中のＡ−Ａ断面図である。
【図１４】同コンタクトが基板上に実装され且つ冷陰極蛍光ランプ及びアダプタが接続された状態を示す概略図であって、（ａ）が正面図、（ｂ）が平面図、（ｃ）が右側面図、（ｄ）が左側面図、（ｅ）が斜視図である。
【符号の説明】
【０２２８】
１０      基板
２０      冷陰極蛍光ランプ（電子部品）
２１      ランプ本体部
２２      リード端子
３０      アダプタ
３１      円筒状部
３２      接続片
実施例１
１００ａ  第１のベース部
１２０ａ  移動規制板（第３の移動規制手段）
１３０ａ  移動規制アーム（第１、第２の移動規制手段）
１００ｂ  第２のベース部
１２０ｂ  移動規制アーム（第１の移動規制手段）
２００    接続部
２１０    支持部
２２０    クランプ部
３００ａ  第１の弾性変形部
３００ｂ  第２の弾性変形部
実施例２
１００ａ  第１のベース部
１２０ａ  移動規制板（第３の移動規制手段）
１４０ａ  支持アーム（支持部）
１００ｂ  第２のベース部
１２０ｂ  移動規制アーム（第１の移動規制手段）
２００    接続部
２２０    クランプ部
３００ａ  第１の弾性変形部
３００ｂ  第２の弾性変形部
実施例３
１００ａ  第１のベース部
１２０ａ  移動規制板（第３の移動規制手段）
１４０ａ  支持アーム（支持部）
１００ｂ  第２のベース部
１２０ｂ  移動規制アーム（第１の移動規制手段）
１２３ｂ  支持板（支持部）
２００    接続部
２２０    クランプ部
３００ａ  第１の弾性変形部
３００ｂ  第２の弾性変形部
実施例４
１００  ベース部
１１１、１１２  位置規制片（第２の移動規制手段）
１２０  移動規制板（第３の移動規制手段）
１３０  移動規制アーム（第１の移動規制手段）
１３２  支持板（支持部）
２００    接続部
２２０    クランプ部
３００    弾性変形部
実施例５
１００ａ  第１のベース部
１２０ａ  移動規制板（第３の移動規制手段）
１００ｂ  第２のベース部
１００ｃ  移動規制部（第１、第２の移動規制手段）
１２０ｃ  規制孔
１３０ｃ  支持部
２００    接続部
２２０    クランプ部
３００ａ  第１の弾性変形部
３００ｂ  第２の弾性変形部 
【図１】
2009266389.tif 000003
【図２】
2009266389.tif 000004
【図３】
2009266389.tif 000005
【図４】
2009266389.tif 000006
【図５】
2009266389.tif 000007
【図６】
2009266389.tif 000008
【図７】
2009266389.tif 000009
【図８】
2009266389.tif 000010
【図９】
2009266389.tif 000011
【図１０】
2009266389.tif 000012
【図１１】
2009266389.tif 000013
【図１２】
2009266389.tif 000014
【図１３】
2009266389.tif 000015
【図１４】
2009266389.tif 000016